(57)【要約】  ユーザが有する物品に関し、物品の状態変化に応じた情報をユーザに通知する情報提供方法を提供する。物品についての提供情報をユーザに供するサービスを、物品の状態が段階的に取りうる複数レベルに対応付けて、提供情報を記憶しているコンピュータシステム上で実現する情報提供方法は、ユーザの保管又は使用を経て、ユーザが有する物品の状態がどのように変化したかを示す物品状態情報を取得し、提供情報の提供タイミングを判断し、提供タイミングと判断した場合、当該提供タイミングにおける物品状態の変化に合致するレベルを、前記複数のレベルの中から選んで、当該合致したレベルに対応する提供情報を、ユーザに通知する提供情報として定める。
2014050113.tif 000002
【特許請求の範囲】
【請求項１】
物品についての提供情報をユーザに通知するサービスを、コンピュータシステム上で実現する情報提供方法であって、
コンピュータシステムは、物品の状態が段階的に取りうる複数レベルに対応付けて、提供情報を記憶しており、提供情報は、物品が対応するレベルの状態である場合にユーザに通知する提案を示し、
前記複数のレベルは、目的物を完成させるための素材としての使用に適した第１レベル、素材としての使用に適さない第２レベルを含み、
ユーザの保管又は使用を経て、ユーザが有する物品の状態がどのように変化したかを示す物品状態情報を取得する取得ステップと、
提供情報の提供タイミングを判断する判断ステップと、
提供タイミングと判断した場合、当該提供タイミングにおける物品状態の変化に合致するレベルを、前記第１レベル及び前記第２レベルを含む前記複数のレベルの中から選んで、当該合致したレベルに対応する提供情報を、ユーザに通知する提供情報として定める特定ステップと
を含むことを特徴とする情報提供方法。
【請求項２】
前記第１レベル及び前記第２レベルを含む前記複数のレベルそれぞれは、物品品質の劣化がどれだけ進行したかという劣化レベルを示し、
コンピュータシステムは、複数の劣化レベルのそれぞれについて、物品外観情報を対応付けており、物品外観情報は、対応する劣化レベルの劣化度合による物品外観への影響を示し、
前記物品状態情報は、カメラで撮影された前記物品の画像と、撮影日時とを含み、
前記特定ステップは、
前記判断ステップにより前記タイミングと判断されるまでに取得した１つ以上の物品状態情報それぞれに含まれる画像のうち、撮影日時が現在に最も近い日時である画像と前記物品の劣化レベルを表す複数の物品外観情報とを比較することにより、ユーザによる保管又は使用を経た後の、変化後の状態に最も近い劣化レベルを選ぶ
ことを特徴とする請求項１に記載の情報提供方法。
【請求項３】
前記物品外観情報は、参考画像であって、対応する劣化レベルの劣化度合による物品外観への影響を画像化して示し、
前記特定ステップは、
前記判断ステップにより前記タイミングと判断されるまでに取得した１つ以上の物品状態情報それぞれに含まれる画像のうち、撮影日時が現在に最も近い日時である画像と前記物品の劣化レベルを表す複数の参考画像とを比較することにより、ユーザによる保管又は使用を経た後の、変化後の状態に最も近い劣化レベルを選ぶ
ことを特徴とする請求項２に記載の情報提供方法。
【請求項４】
前記物品は食料品であり、
前記提供情報は、食料品を素材として用いて目的物である料理を完成させるためのレシピ情報を含み、
前記特定ステップは、
ユーザによる保管又は使用を経た後の物品状態の変化と合致するとして選ばれた劣化レベルが所定の閾値を下回れば、前記劣化レベルに対応する、前記食料品を素材として用いて目的物である料理を完成させるためのレシピ情報を、ユーザに通知する提供情報として特定し、ユーザによる保管又は使用を経た後の物品状態の変化と合致するとして選ばれた劣化レベルが所定の閾値を上回れば、前記食料品の使用の禁止を促す警告、又は前記食料品の再購入を促す提案情報を、ユーザに通知する提供情報として特定する
ことを特徴とする請求項３に記載の情報提供方法。
【請求項５】
前記物品は、服飾品であり、
前記複数の提供情報は、服飾品を素材として用いて、目的物である全身コーディネートを提案するコーディネート情報であり、
前記特定ステップは、
ユーザによる保管又は使用を経た後の物品状態の変化と合致するとして選ばれた劣化レベルが所定の閾値を下回れば、劣化レベルに対応するコーディネート情報を、ユーザに通知する提供情報として特定し、
ユーザによる保管又は使用を経た後の物品状態の変化と合致するとして選ばれた劣化レベルが所定の閾値を上回れば、前記服飾品に代わる新たな服飾品の購入を提案する購入提案情報を、ユーザに通知する提供情報として特定する
ことを特徴とする請求項３に記載の情報提供方法。
【請求項６】
前記物品は、食料品であり、
前記物品状態情報は、前記食料品の量を示すものであり、
前記複数レベルのそれぞれに対応付けられた提供情報は、食料品を素材として用いて目的物である料理を完成させるためのレシピ情報であり、素材の分量を含み、
前記特定ステップは、
前記タイミングが到来したと判断されるまでに、複数の提供情報である、複数のレシピ情報に含まれる素材分量と、前記物品状態情報が示す前記食料品の量とからレシピ情報毎の食料品の残存量を算出し、
前記判断ステップにより提供タイミングと判断されると、複数のレシピ情報の中に、算出された食料品の残存量を上回る素材分量をもつものがあるかどうかを判断し、もつものがあれば、当該提供タイミングにおける物品状態の変化に合致するレベルとして前記第１レベルを選び、複数のレシピ情報の中に、算出された食料品の残存量を上回る素材分量をもつものがなければ、当該提供タイミングにおける物品状態の変化に合致するレベルとして前記第２レベルを選ぶ
ことを特徴とする請求項１に記載の情報提供方法。
【請求項７】
前記特定ステップは、
特定された残存量により素材分量が満たされるレシピ情報が存在する場合、当該レシピ情報を、ユーザに通知する提供情報として特定し、
特定された残存量により素材分量が満たされるレシピ情報が存在しない場合、当該レシピ情報を、前記食料品の再購入を促す提案情報を、ユーザに通知する提供情報として特定する
ことを特徴とする請求項６に記載の情報提供方法。
【請求項８】
前記判断ステップは、
前記ユーザから提供の要求を受け付けた場合、前記提供情報を前記ユーザに通知するタイミングと判断する
ことを特徴とする請求項１に記載の情報提供方法。
【請求項９】
前記判断ステップは、
前記物品状態情報を受け付けてから所定時間経過した場合に、前記提供情報を前記ユーザに通知するタイミングと判断する
ことを特徴とする請求項１に記載の情報提供方法。
【請求項１０】
物品についての提供情報をユーザに通知するサービスを提供する情報提供システムであって、
目的物を完成させるための素材としての使用に適した第１レベル及び素材としての使用に適さない第２レベルを含み、物品の状態が段階的に取りうる複数レベルに対応付けて、物品が対応するレベルである場合にユーザに通知する提案を示す提供情報を記憶する記憶手段と、
ユーザの保管又は使用を経て、ユーザが有する物品の状態がどのように変化したかを示す物品状態情報を取得する取得手段と、
提供情報の提供タイミングを判断する判断手段と、
提供タイミングと判断した場合、当該提供タイミングにおける物品状態の変化に合致するレベルを、前記第１レベル及び前記第２レベルを含む前記複数のレベルの中から選んで、当該合致したレベルに対応する提供情報を、ユーザに通知する提供情報として定める特定手段と
を備えることを特徴とする情報提供システム。
【発明の詳細な説明】
【技術分野】
【０００１】
本発明は、物品についての提供情報であって、物品の状態変化に応じた情報を、物品を有するユーザへ通知する情報提供方法、及び情報提供システムに関する。
【背景技術】
【０００２】
ユーザが有する物品について提供情報を通知するシステムが存在する。例えば、料理を行う者（例えば、主婦）にとって、献立を考えることが煩わしく感じることがある。そこで、その煩わしさを軽減するために、ユーザが有する食材を利用した料理のレシピ情報を、提供情報としてユーザへ通知するシステムが開示されている（特許文献１）。【０００３】
また、ユーザが有する物品についての提供情報をユーザに供する別のシステムとして、ユーザが有している服飾品に基づいたコーディネートを、ユーザに提案するシステムが開示されている（特許文献２）。ユーザは、特許文献２に開示されたシステムを利用することで、自身が有している衣服（例えば、上着）と組み合わせ可能な衣服（例えば、ズボン、スカート等）を知ることができ、自身が有している上着とのコーディネートを容易に行うことができる。
【先行技術文献】
【特許文献】
【０００４】
【特許文献１】特開２００３−２７１７１２号公報
【特許文献２】特開２００２−２８８４８２号公報
【発明の概要】
【発明が解決しようとする課題】
【０００５】
しかしながら、ユーザが有する物品は、時間が経過するにつれて、その質が低下する。【０００６】
例えば、ユーザが有する物品が食材である場合には、日に日にその鮮度が低下している。ところで、料理によっては、新鮮な食材を用いることが必要なものがある。そのため、特許文献１に開示された技術を利用すると、ユーザが有する食材の鮮度が低下しいているにも関わらず、新鮮な食材を用いることが必要となる料理のレシピを提供することがある。【０００７】
また、ユーザが有する物品が衣服である場合には洗濯する度に色褪せが生じている。そのため、特許文献２に開示された技術を利用して、ユーザが有する衣服（例えば、上着）について色褪せが生じているにも関わらず、その衣服と組み合わせ可能な衣服（例えば、スカート）を提案することがある。このような場合において、ユーザが提案されたスカートを新規に購入しても、色褪せた上着と、新品のスカートの組み合わせは、実際には最適なものとは言い難い。【０００８】
つまり、特許文献１及び特許文献２に開示された技術では、ユーザに情報を提供するタイミングでユーザが有する物品の質の低下等といった物品の状態に変化が生じている場合には、ユーザにとって最適な提供情報を提供することができないことがある。【０００９】
そこで、本発明は、ユーザが有する物品の状態変化に応じた、物品についての提供情報をユーザに供する情報提供方法、及び情報提供システムを提供することを目的とする。
【課題を解決するための手段】
【００１０】
上記目的を達成するために、本発明は、  物品についての提供情報をユーザに通知するサービスを、コンピュータシステム上で実現する情報提供方法であって、コンピュータシステムは、物品の状態が段階的に取りうる複数レベルに対応付けて、提供情報を記憶しており、提供情報は、物品が対応するレベルの状態である場合にユーザに通知する提案を示し、前記複数のレベルは、目的物を完成させるための素材としての使用に適した第１レベル、素材としての使用に適さない第２レベルを含み、ユーザの保管又は使用を経て、ユーザが有する物品の状態がどのように変化したかを示す物品状態情報を取得する取得ステップと、提供情報の提供タイミングを判断する判断ステップと、提供タイミングと判断した場合、当該提供タイミングにおける物品状態の変化に合致するレベルを、前記第１レベル及び前記第２レベルを含む前記複数のレベルの中から選んで、当該合致したレベルに対応する提供情報を、ユーザに通知する提供情報として定める特定ステップとを含むことを特徴とする。
【発明の効果】
【００１１】
上記構成によると、情報提供方法は、物品についての提供情報をユーザに通知するタイミングで、物品の変化後の物品状態のレベルに対応する提供情報をユーザに通知することができる。
【図面の簡単な説明】
【００１２】
【図１】情報提供システム１００の概要を示す図である。
【図２】サーバ１０１の構成を示すブロック図である。
【図３】ユーザ情報テーブルＴ１００のデータ構造の一例を示す図である。
【図４】販売情報テーブルＴ２００のデータ構造の一例を示す図である。
【図５】レシピ情報テーブルＴ３００のデータ構造の一例を示す図である。
【図６】購入情報テーブルＴ４００のデータ構造の一例を示す図である。
【図７】物品情報テーブルＴ５００のデータ構造の一例を示す図である。
【図８】保管情報テーブルＴ６００のデータ構造の一例を示す図である。
【図９】品質パターンテーブルＴ７００のデータ構造の一例を示す図である。
【図１０】カメラ付き機器１０２の構成を示すブロック図である。
【図１１】ユーザ端末１０３の構成を示すブロック図である。
【図１２】劣化レベルがレベル１からレベル２の間である場合における提供情報についての表示画面の一例を示す図である。
【図１３】劣化レベルがレベル３を超え、ユーザが利用する店舗に物品の販売が行われている場合における提供情報についての表示画面の一例を示す図である。
【図１４】劣化レベルがレベル３を超え、ユーザが利用する店舗に物品の販売が行われていない場合における提供情報についての表示画面の一例を示す図である。
【図１５】情報提供システム１００の動作概要を示す流れ図である。
【図１６】物品情報を受信した場合のサーバ１０１の動作を示す流れ図である。
【図１７】保管情報の更新処理を示す流れ図である。
【図１８】情報提供システム１００における提供情報の取得処理を示す流れ図である。
【図１９】情報提供システム１０００の概要を示す図である。
【図２０】サーバ１１０１の構成を示すブロック図である。
【図２１】販売情報テーブルＴ１２００のデータ構造の一例を示す図である。
【図２２】購入情報テーブルＴ１４００のデータ構造の一例を示す図である。
【図２３】物品情報テーブルＴ１５００のデータ構造の一例を示す図である。
【図２４】保管情報テーブルＴ１６００のデータ構造の一例を示す図である。
【図２５】品質パターンテーブルＴ１７００のデータ構造の一例を示す図である。
【図２６】カメラ付き機器１１０２の構成を示すブロック図である。
【図２７】物品情報を受信した場合のサーバ１１０１の動作を示す流れ図である。
【図２８】情報提供システム１０００における提供情報の取得処理を示す流れ図である。
【図２９】劣化レベルがレベル２を超えていない場合における提供情報についての表示画面の一例を示す図である。
【図３０】劣化レベルがレベル２を超えている場合における提供情報についての表示画面の一例を示す図である。
【図３１】変形例１の情報提供システムにおける提供情報の取得処理を示す流れ図である。
【図３２】サーバ２１０１の構成を示すブロック図である。
【図３３】分析情報テーブルＴ２０００のデータ構造の一例を示す図である。
【図３４】サーバ２１０１が行う提供情報の取得処理を示す流れ図である。
【図３５】使用履歴情報テーブルＴ３０００のデータ構造の一例を示す図である。
【発明を実施するための形態】
【００１３】
（本発明の基礎となった知見）
上述したように、使用しようとしたときの食材の状態によっては適さないレシピがある。例えば、熟しきって柔らかくなっているトマトに対して、そのトマトをつぶして使うトマトソーススパゲティーのレシピを提供することは良いかもしれないが、他の野菜と組み合わせてトマトをほぼそのままの状態で使うサラダのレシピを提供するのは適切でない。
【００１４】
しかし、特許文献１のシステムは所有している食材の状態を考慮せずにレシピを提供するため、提供されたレシピは常に適切なものとは限らない。
【００１５】
また、特許文献２のシステムは、所有している服飾品の状態を考慮せずにコーディネートを提案している。そのため、所有している服飾品に色褪せ等が生じている場合に、その服飾品との組み合わせとして新規の服飾品を提案する場合がある。しかしながら、この場合、もとの色やつやが薄くなったものと、もとの色やつやがはっきりしているものとの組み合わせの提案となり、この提案は適切とは言えない。
【００１６】
そこで、発明者は、ユーザが有する物品についての提供情報の提供方法について、その物品の状態変化に応じた情報の提供方法を提案すべく鋭意検討して、本発明に至った。  
【００１７】
本実施の形態の一態様によれば、本発明は、物品についての提供情報をユーザに通知するサービスを、コンピュータシステム上で実現する情報提供方法であって、コンピュータシステムは、物品の状態が段階的に取りうる複数レベルに対応付けて、提供情報を記憶しており、提供情報は、物品が対応するレベルの状態である場合にユーザに通知する提案を示し、前記複数のレベルは、目的物を完成させるための素材としての使用に適した第１レベル、素材としての使用に適さない第２レベルを含み、ユーザの保管又は使用を経て、ユーザが有する物品の状態がどのように変化したかを示す物品状態情報を取得する取得ステップと、提供情報の提供タイミングを判断する判断ステップと、提供タイミングと判断した場合、当該提供タイミングにおける物品状態の変化に合致するレベルを、前記第１レベル及び前記第２レベルを含む前記複数のレベルの中から選んで、当該合致したレベルに対応する提供情報を、ユーザに通知する提供情報として定める特定ステップとを含むことを特徴とする。
【００１８】
以下、本発明の一実施形態について説明する。
【００１９】
１．実施の形態１
１．１  情報提供システム１００について
情報提供システム１００は、ユーザが有する食料品等の物品の状態変化に応じた提供情報をユーザに通知するシステムである。
【００２０】
情報提供システム１００は、図１に示すように、サーバ１０１、カメラ付き機器１０２、ユーザ端末１０３、購入決済端末１０４及び店舗端末１０５から構成されている。
【００２１】
サーバ１０１は、ユーザがカメラ付き機器１０２で保管する物品について管理している。サーバ１０１は、インターネット１１０を介して、ユーザ端末１０３からユーザが有する物品についての提供情報の要求を受け付けると、管理しているユーザの物品の状態の変化（例えば品質の変化）に基づいた提供情報をユーザに提供する。
【００２２】
カメラ付き機器１０２は、例えばカメラと連動した冷蔵庫である。カメラ付き機器１０２は、ユーザが物品を出し入れする際、又は単に扉を開いた際にカメラで撮影された物品の画像がサーバ１０１で管理されるよう、撮影された画像をサーバ１０１へインターネット１１０を介して送信する。
【００２３】
ユーザ端末１０３は、インターネット１１０を介して、物品の提供情報を要求する旨の指示をサーバ１０１へ送信する。ユーザ端末１０３は、要求した物品の提供情報をサーバ１０１から受信すると、その内容を表示することで、ユーザに通知する。
【００２４】
購入決済端末１０４は、例えば店舗に備え付けられたＰＯＳ（Ｐｏｉｎｔ  ｏｆ  Ｓａｌｅ）端末であり、ユーザが購入した物品に関する情報（購入情報）を、インターネット１１０を介してサーバ１０１へ送信する。
【００２５】
店舗端末１０５は、店舗で販売している物品に関する情報（販売情報）を管理する端末である。店舗端末１０５は、サーバ１０１が提供情報を生成等による取得の際に、販売情報を利用できるようにするために、販売情報をインターネット１１０を介してサーバ１０１へ送信する。
【００２６】
１．２  サーバ１０１
ここでは、サーバ１０１の構成について説明する。
【００２７】
サーバ１０１は、図２に示すように、ユーザ情報記憶部２０１、販売情報記憶部２０２、レシピ情報記憶部２０３、購入情報記憶部２０４、保管情報記憶部２０５、品質パターン記憶部２０６、物品情報取得部２０７、保管情報生成部２０８、提供情報取得部２０９、品質特定部２１０及び送受信部２１１から構成されている。
【００２８】
サーバ１０１は、プロセッサ、メモリ及びＮＩＣ（Ｎｅｔｗｏｒｋ  Ｉｎｔｅｒｆａｃｅ  Ｃａｒｄ）を含んで構成されており、物品情報取得部２０７、保管情報生成部２０８、提供情報取得部２０９及び品質特定部２１０の各機能は、メモリに記憶されているプログラムをプロセッサが実行することにより実現される。また、サーバ１０１が行うインターネット１１０を介した情報の送受信は、ＮＩＣを用いて行われる。
【００２９】
（１）ユーザ情報記憶部２０１
ユーザ情報記憶部２０１は、ユーザに関する情報（ユーザ情報）を格納するためのメモリ領域であり、ユーザ情報テーブルＴ１００を有している。
【００３０】
ユーザ情報テーブルＴ１００は、図３に示すように、ユーザ識別子Ｔ１０１、ユーザ名Ｔ１０２、住所Ｔ１０３、利用店舗Ｔ１０４及び家族人数Ｔ１０５からなる組（ユーザ情報）を１つ以上格納するものである。
【００３１】
ユーザ識別子Ｔ１０１は、当該システム１００を利用するユーザを識別する識別子である。
【００３２】
ユーザ名Ｔ１０２は、ユーザ識別子で識別されるユーザの氏名である。
【００３３】
住所Ｔ１０３は、ユーザの住所を示すものである。
【００３４】
利用店舗Ｔ１０４は、ユーザが物品（食料品）を購入するために、頻繁に利用する店舗名を示すものである。
【００３５】
家族人数Ｔ１０５は、ユーザを含めた、ユーザの家族の人数を示すものである。
【００３６】
（２）販売情報記憶部２０２
販売情報記憶部２０２は、店舗毎に、当該店舗が販売する物品に関する情報（販売情報）を格納するためのメモリ領域であり、販売情報テーブルＴ２００を有している。
【００３７】
販売情報テーブルＴ２００は、図４に示すように、店舗名Ｔ２０１、物品名Ｔ２０２、製造日／収穫日Ｔ２０３、店頭配置日Ｔ２０４、配置情報Ｔ２０５、在庫数Ｔ２０６、入手ルートＴ２０７及び消費期限／賞味期限／使用期限Ｔ２０８からなる組（販売情報）を１つ以上格納するものである。
【００３８】
店舗名Ｔ２０１は、店舗の名前を示すものである。
【００３９】
物品名Ｔ２０２は、店舗で販売されている物品の名称を示すものである。
【００４０】
製造日／収穫日Ｔ２０３は、対応する物品名で示される物品についての製造日又は収穫日を示すものである。
【００４１】
店頭配置日Ｔ２０４は、対応する物品名で示される物品が店頭に配置された日を示すものでる。
【００４２】
配置情報Ｔ２０５は、対応する物品名で示される物品が配置された場所を示すものである。
【００４３】
在庫数Ｔ２０６は、対応する物品名で示される物品の在庫数を示すものである。
【００４４】
入手ルートＴ２０７は、対応する物品名で示される物品の入手先を示すものである。
【００４５】
消費期限／賞味期限／使用期限Ｔ２０８は、対応する物品名で示される物品についての消費期限、賞味期限又は使用期限を示すものである。
【００４６】
（３）レシピ情報記憶部２０３
レシピ情報記憶部２０３は、料理のレシピに関する情報（レシピ情報）を格納するためのメモリ領域であり、レシピ情報テーブルＴ３００を有している。
【００４７】
レシピ情報テーブルＴ３００は、図５に示すように、物品名Ｔ３０１、料理名Ｔ３０２、劣化レベルＴ３０３、材料Ｔ３０４及び作り方Ｔ３０５からなる組（レシピ情報）を１つ以上格納するものである。
【００４８】
物品名Ｔ３０１は、料理に使用される物品の名前を示すものである。
【００４９】
料理名Ｔ３０２は、対応する物品名で示される物品を用いた料理の名称を示すものである。
【００５０】
劣化レベルＴ３０３は、対応する物品名で示される物品を、対応する料理名で示される料理に使用する際において、当該物品が適用可能な当該物品の劣化度合（劣化レベル）を示すものである。劣化レベル１は、物品の品質状態が最も良い状態であることを示しており、劣化レベルの数値が上がる毎に、物品の品質状態が悪くなっていく。
【００５１】
材料Ｔ３０４は、対応する料理名で示される料理を行う際に、必要な材料及びその量（１人分の量）を示すものである。
【００５２】
作り方Ｔ３０５は、対応する料理名で示される料理についての作業手順を示すものである。
【００５３】
（４）購入情報記憶部２０４
購入情報記憶部２０４は、店舗毎に、各ユーザが購入した物品に関する情報（購入情報）を格納するためのメモリ領域であり、購入情報テーブルＴ４００を有している。
【００５４】
購入情報テーブルＴ４００は、図６に示すように、店舗名Ｔ４０１、購入ユーザＴ４０２、物品名Ｔ４０３、購入日時Ｔ４０４、製造日／収穫日Ｔ４０５、消費期限／賞味期限／使用期限Ｔ４０６及び購入量／個数Ｔ４０７からなる組（購入情報）を１つ以上格納するものである。
【００５５】
店舗名Ｔ４０１は、店舗の名前を示すものである。
【００５６】
購入ユーザＴ４０２は、購入したユーザを示すものである。なお、ここでは購入ユーザはユーザ識別子で示される。
【００５７】
物品名Ｔ４０３は、ユーザが購入した物品の名称を示すものである。
【００５８】
購入日時Ｔ４０４は、ユーザが物品を購入した日時を示すものである。
【００５９】
製造日／収穫日Ｔ４０５は、ユーザが購入した物品についての製造日又は収穫日を示すものである。
【００６０】
消費期限／賞味期限／使用期限Ｔ４０６は、ユーザが購入した物品についての消費期限、賞味期限又は使用期限を示すものである。
【００６１】
購入量／個数Ｔ４０７は、ユーザが購入した物品の購入量、又は購入した個数を示すものである。
【００６２】
（５）保管情報記憶部２０５
保管情報記憶部２０５は、ユーザが有する物品に関する情報を記憶しているメモリ領域であり、物品情報テーブルＴ５００と保管情報テーブルＴ６００とを有している。
【００６３】
（５−１）物品情報テーブルＴ５００
物品情報テーブルＴ５００は、ユーザが有する物品の状態を示す情報を記憶しており、図７に示すように、ユーザ識別子Ｔ５０１、物品名Ｔ５０２、画像Ｔ５０３、撮影日時Ｔ５０４、質量Ｔ５０５、保管位置Ｔ５０６及び追加ボタンＴ５０７からなる組（物品情報）を１つ以上格納するものである。
【００６４】
ユーザ識別子Ｔ５０１は、ユーザを識別するための識別子である。
【００６５】
物品名Ｔ５０２は、ユーザが有する物品の名前を示すものである。
【００６６】
画像Ｔ５０３は、物品名に対応し、ユーザが有する物品の画像である。
【００６７】
撮影日時Ｔ５０４は、画像の撮影日時を示すものである。
【００６８】
質量Ｔ５０５は、物品名に対応し、ユーザが有する物品の質量を示すものである。
【００６９】
保管位置Ｔ５０６は、物品名に対応し、ユーザが有する物品がカメラ付き機器１０２において保管される場所を示すものである。
【００７０】
追加ボタンＴ５０７は、後述するカメラ付き機器１０２の追加ボタンが押下されたか否かを示すものである。ここでは、追加ボタンＴ５０７が“有”を示す場合には、カメラ付き機器１０２の追加ボタンが押下されたことを示す。この場合、物品名に対応する物品が、保管管理の対象となったことを示す。また、追加ボタンＴ５０７が“無”を示す場合には、カメラ付き機器１０２の追加ボタンが押下されていないことを示す。この場合、物品名に対応する物品は、既に保管管理の対象となっていることを示す。
【００７１】
カメラ付き機器１０２は、カメラで物品が撮影される度に、物品情報をサーバ１０１へ送信する。サーバ１０１は、受信した物品情報を物品情報テーブルＴ５００へ追加する。例えば、図７によると、カメラ付き機器１０２のカメラで２０１３年７月２３日に物品“トマト”が撮影された画像（００１．ｊｐｇ）を含む物品情報Ｔ５１０が物品情報テーブルＴ５００に格納された後、同一の物品“トマト”について２０１３年７月２６日に撮影された画像（００４．ｊｐｇ）を含む物品情報Ｔ５１１が物品情報テーブルＴ５００に追加されていることが分かる。
【００７２】
（５−２）保管情報テーブルＴ６００
保管情報テーブルＴ６００は、ユーザが有する物品についての購入日等の情報を記憶しており、図８に示すように、ユーザ識別子Ｔ６０１、物品名Ｔ６０２、購入日Ｔ６０３、製造日／収穫日Ｔ６０４、消費期限／賞味期限／使用期限Ｔ６０５、購入店Ｔ６０６、購入量／個数Ｔ６０７、残量Ｔ６０８及び更新日Ｔ６０９からなる組（保管情報）を１つ以上格納するものである。
【００７３】
ユーザ識別子Ｔ６０１は、ユーザを識別するための識別子である。
【００７４】
物品名Ｔ６０２は、ユーザが有する物品の名前を示すものである。
【００７５】
購入日Ｔ６０３は、物品名Ｔ６０２で示される物品をユーザが購入した日を示すものである。
【００７６】
製造日／収穫日Ｔ６０４は、ユーザが購入した物品についての製造日又は収穫日を示すものである。
【００７７】
消費期限／賞味期限／使用期限Ｔ６０５は、ユーザが購入した物品についての消費期限、賞味期限又は使用期限を示すものである。
【００７８】
購入店Ｔ６０６は、物品名Ｔ６０２で示される物品についてユーザが購入した店舗を示すものである。
【００７９】
購入量／個数Ｔ６０７は、ユーザが購入した物品の購入量、又は購入した個数を示すものである。
【００８０】
残量Ｔ６０８は、物品名Ｔ６０２で示される物品の残量を示すものである。ここでは、残量は、管理対象となった時点の物品の質量に対する最新の物品情報を受け取った時点における物品の質量の割合として示される。また、物品名Ｔ６０２で示される物品が使用されると、残量は更新される。
【００８１】
更新日Ｔ６０９は、残量の更新日を示すものである。
【００８２】
（６）品質パターン記憶部２０６
品質パターン記憶部２０６は、ユーザが有する物品の状態（劣化レベル）を特定するために、物品情報に含まれる画像と比較対象となる参考画像を記憶しているメモリ領域であり、品質パターンテーブルＴ７００を有している。各参考画像は、対応する劣化レベルの劣化度合いによる物品外観の変化、物品外観への影響を示す情報である。
【００８３】
品質パターンテーブルＴ７００は、図９に示すように、物品名Ｔ７０１及び劣化レベルＴ７０２とからなる組を１つ以上格納するものである。
【００８４】
物品名Ｔ７０１は、ユーザが有する物品の名前を示すものである。
【００８５】
劣化レベルＴ７０２は、図９に示すように、劣化レベル１、劣化レベル２、劣化レベル３に分類されている。劣化レベルＴ７０２では、各劣化レベルに応じた物品の画像それぞれが格納されている。ここで、レベル数が高くなるにつれ、対応する物品の劣化度は増している。劣化レベル３を超えると、例えば、その物品を食すことで食中毒といった人体に何らかの影響を与える。なお、各劣化レベルに応じた参考画像からなる画像群を劣化パターン群という。
【００８６】
（７）物品情報取得部２０７
物品情報取得部２０７は、インターネット１１０を介して、カメラ付き機器１０２から物品情報を取得すると、取得した物品情報を保管情報記憶部２０５の物品情報テーブルＴ５００へ格納する。
【００８７】
さらに、物品情報取得部２０７は、取得した物品情報を保管情報生成部２０８へ出力する。
【００８８】
（８）保管情報生成部２０８
保管情報生成部２０８は、物品情報取得部２０７から出力されたユーザが有する物品の物品情報、及び購入情報記憶部２０４で記憶されている、ユーザに関する購入情報を用いて、保管情報を生成するものである。
【００８９】
具体的には、保管情報生成部２０８は、以下の機能を有する。
【００９０】
物品情報取得部２０７から受け取った物品情報に含まれる追加ボタンＴ５０７が“有”を示している場合には、保管情報生成部２０８は、受け取った物品情報に含まれるユーザ識別子及び物品名の双方とも一致するユーザ識別子及び物品名を含む購入情報を、購入情報記憶部２０４から取得する。保管情報生成部２０８は、物品情報取得部２０７から受け取った物品情報と、購入情報記憶部２０４から取得した購入情報とを用いて、保管情報を生成し、生成した保管情報を保管情報記憶部２０５の保管情報テーブルＴ６００へ格納する。
【００９１】
物品情報取得部２０７から受け取った物品情報に含まれる追加ボタンＴ５０７が“無”を示している場合には、保管情報生成部２０８は、受け取った物品情報に含まれるユーザ識別子及び物品名の双方とも一致するユーザ識別子及び物品名を含む保管情報を、保管情報記憶部２０５の保管情報テーブルＴ６００から取得する。さらに、保管情報生成部２０８は、受け取った物品情報に含まれるユーザ識別子及び物品名の双方とも一致するユーザ識別子及び物品名を含む物品情報であって、追加ボタンＴ５０７が“有”を示し、画像の撮影日時が、受け取った物品情報に含まれる画像の撮影日時に最も近い物品情報を物品情報テーブルＴ５００から取得する。つまり、保管情報生成部２０８は、受け取った物品情報で示される物品について追加ボタンが押下されたことを示す追加ボタンＴ５０７を含む物品情報を取得する。保管情報生成部２０８は、これらの物品情報に含まれる質量から、残量を算出する。例えば、残量は、“受け取った物品情報に含まれる質量”／“物品情報テーブルＴ５００から取得した物品情報に含まれる質量”で得られる。保管情報生成部２０８は、保管情報テーブルＴ６００から取得した保管情報に含まれる残量を、算出した残量へと更新し、さらに更新日を更新する。これにより、保管情報テーブルＴ６００が更新される。
【００９２】
（９）提供情報取得部２０９
提供情報取得部２０９は、ユーザが有する物品の劣化レベルに応じた提供情報を取得し、インターネット１１０を介してユーザに提供するものである。
【００９３】
具体的には、提供情報取得部２０９は、以下の機能を有する。
【００９４】
提供情報取得部２０９は、インターネット１１０を介してユーザ端末１０３からユーザが有する物品についての提供情報を要求する要求情報を取得する。ここで、要求情報は、提供情報を要求するユーザを識別するユーザ識別子と、要求する要求情報に対応する物品を示す物品名とを含むものである。
【００９５】
提供情報取得部２０９は、ユーザ端末１０３から取得した要求情報を、品質特定部２１０へ出力する。
【００９６】
提供情報取得部２０９は、要求情報に含まれる物品名に対応する、ユーザが有する物品についての劣化レベルを、品質特定部２１０から取得する。
【００９７】
提供情報取得部２０９は、取得した劣化レベルに基づいて、要求情報に含まれる物品名で示される物品について、ユーザへ提供すべき提供情報を取得する。例えば、提供情報取得部２０９は、劣化レベルに応じて、物品に対する提供情報を生成することで取得、レシピ情報記憶部２０３から物品を材料とする料理のレシピ情報を提供情報として取得、又は販売情報記憶部２０２から物品を販売する店舗を示す情報を提供情報として取得する。
【００９８】
提供情報取得部２０９は、取得した提供情報を、要求情報を要求したユーザ端末１０３にインターネット１１０を介して送信する。
【００９９】
（１０）品質特定部２１０
品質特定部２１０は、ユーザが有する物品の状態（劣化レベル）を特定するものである。
【０１００】
具体的には、品質特定部２１０は、以下の機能を有する。
【０１０１】
品質特定部２１０は、提供情報取得部２０９から要求情報を受け取ると、受け取った要求情報に含まれる物品名と一致する物品名の劣化パターン群を品質パターン記憶部２０６から取得する。
【０１０２】
また、品質特定部２１０は、受け取った要求情報に含まれるユーザ識別子及び物品名の双方とも一致するユーザ識別子及び物品名を含む物品情報のうち、撮影日時が最新のものを、保管情報記憶部２０５の物品情報テーブルＴ５００から取得する。
【０１０３】
品質特定部２１０は、取得した物品情報に含まれる画像と、劣化パターン群とを比較し、提供情報が要求された物品の劣化レベルを特定する。例えば、物品情報に含まれる画像に含まれる物品の色合いが、劣化レベル１から３の画像に含まれる物品のどの色合いに類似するか、劣化レベル１と２、若しくは劣化レベル２と３の中間色に類似するか、又は劣化レベル３の色合いより黒ずんでいるか等の判断することで物品の劣化レベルを特定する。
【０１０４】
また、劣化レベルを特定する際に、取得した物品情報に含まれる画像の撮影日時が、要求情報を受け取ったときよりも所定日数（例えば、３日）前である場合には、品質特定部２１０は、特定した劣化レベルに、さらに所定値を付加し、物品の現在の劣化レベルとする。具体的には、品質特定部２１０は、現在の日と撮影された日との差分数に、値“０．１”を乗算し、その結果を、特定した劣化レベルに加算して現在の劣化レベルを取得する。例えば、現在の日と撮影された日との差分数が値“５”であり、特定された物品の劣化レベルが劣化レベル１と２の中間値（１．５）であるには、品質特定部２１０は、上記の算出方法により、現在の劣化レベルとして劣化レベル２を取得する。なお、取得した物品情報に含まれる画像の撮影日時が、要求情報を受け取ったときよりも所定日数以内である場合には、品質特定部２１０は、比較により特定された劣化レベルを、物品の現在の劣化レベルとする。
【０１０５】
品質特定部２１０は、劣化パターン群との比較に基づいて得られた物品の現在の劣化レベルを提供情報取得部２０９へ出力する。
【０１０６】
（１１）送受信部２１１
送受信部２１１は、上述したＮＩＣを含むものであり、サーバ１０１と、カメラ付き機器１０２、ユーザ端末１０３、購入決済端末１０４及び店舗端末１０５との間の情報の送受信をインターネット１１０を介して行うものである。
【０１０７】
具体的には、送受信部２１１は、以下の機能を有する。
【０１０８】
送受信部２１１は、インターネット１１０を介してカメラ付き機器１０２から、物品情報を受信すると、受信した物品情報を物品情報取得部２０７へ出力する。
【０１０９】
送受信部２１１は、インターネット１１０を介してユーザ端末１０３から、要求情報を受信すると、受信した要求情報を提供情報取得部２０９へ出力する。
【０１１０】
送受信部２１１は、インターネット１１０を介して購入決済端末１０４から、購入情報を受信すると、受信した購入情報を購入情報記憶部２０４の購入情報テーブルＴ４００へ格納する。
【０１１１】
送受信部２１１は、インターネット１１０を介して店舗端末１０５から、販売情報を受信すると、受信した販売情報を販売情報記憶部２０２の販売情報テーブルＴ２００へ格納する。
【０１１２】
１．３  カメラ付き機器１０２
ここでは、カメラ付き機器１０２の構成について説明する。
【０１１３】
カメラ付き機器１０２は、例えば、カメラと連動した冷蔵庫であり、図１０に示すように、カメラ３０１とユーザ端末（冷蔵庫）３０２とから構成されている。
【０１１４】
カメラ３０１は、例えばウエアラブルカメラであり、ユーザが手に取って使用するものである。カメラ３０１は、図１０に示すように、撮影部３１１、制御部３１２及び無線部３１３から構成されている。カメラ３０１は、プロセッサ及びメモリを含んで構成されており、制御部３１２の機能は、メモリに記憶されているプログラムをプロセッサが実行することにより実現される。
【０１１５】
ユーザ端末（冷蔵庫）３０２は、図１０に示すように、識別子記憶部３２１、無線部３２２、入力部３２３、質量センサ３２４、制御部３２５及び送信部３２６から構成されている。ユーザ端末３０２は、プロセッサ、メモリ及びＮＩＣ（Ｎｅｔｗｏｒｋ  Ｉｎｔｅｒｆａｃｅ  Ｃａｒｄ）を含んで構成されており、制御部３２５の機能は、メモリに記憶されているプログラムをプロセッサが実行することにより実現される。また、ユーザ端末３０２が行うインターネット１１０を介した情報の送受信は、ＮＩＣを用いて行われる。
【０１１６】
以下、カメラ３０１及びユーザ端末３０２の各構成要素について説明する。
【０１１７】
（１）撮影部３１１
撮影部３１１は、物体を撮影する撮影機能を有するものである。
【０１１８】
具体的には、撮影部３１１は、ユーザ端末（冷蔵庫）３０２から取り出された物品、ユーザ端末３０２へ格納される物品、庫内に保管されている物品について、ユーザ操作により撮影を行う。
【０１１９】
（２）制御部３１２
制御部３１２は、撮影部３１１で撮影された画像を、無線部３１３を介して、ユーザ端末３０２へ送信する。
【０１２０】
（３）無線部３１３
無線部３１３は、無線回路を有しており、ユーザ端末３０２との間で無線通信を行うものである。
【０１２１】
具体的には、無線部３１３は、制御部３１２から出力された画像を、無線通信によりユーザ端末３０２へ送信する。
【０１２２】
（４）識別子記憶部３２１
識別子記憶部３２１は、カメラ付き機器１０２のユーザを識別する識別子を記憶しているメモリ領域である。
【０１２３】
（５）無線部３２２
無線部３２２は、無線回路を有しており、カメラ３０１との間で無線通信を行うものである。
【０１２４】
具体的には、無線部３２２は、カメラ３０１から送信された画像を、無線通信により受信する。
【０１２５】
（６）入力部３２３
入力部３２３は、文字入力機能、及び上述した追加ボタンを有している。
【０１２６】
入力部３２３は、カメラ３０１の撮影対象である物品の物品名の入力を受け付け、受け付けた物品名を制御部３２５へ出力する。
【０１２７】
入力部３２３は、追加ボタンがユーザにより押下された場合には、その旨を制御部３２５へ出力する。
【０１２８】
（７）質量センサ３２４
質量センサ３２４は、ユーザ端末（冷蔵庫）３０２の庫内に格納された物品の質量を計測するセンサである。
【０１２９】
具体的には、質量センサ３２４は、カメラ３０１から画像を受信し、且つ入力部３２３で物品名の入力を受け付けたときの、庫内全体の質量の変化を計測し、その変化量を制御部３２５へ出力する。
【０１３０】
（８）制御部３２５
制御部３２５は、ユーザ端末３０２の機能全体を制御するものであり、さらに日時を計時する機能を有している。
【０１３１】
具体的な制御部３２５の機能について、以下に説明する。
【０１３２】
制御部３２５は、カメラ３０１から無線部３２２を介して、画像を受信し、且つ入力部３２３から物品名を受け取り、質量センサ３２４から質量の変化量を受け取ると、識別子記憶部３２１からユーザ識別子を取得する。また、制御部３２５は、現在の日時を取得する。さらに、カメラ３０１から受信した画像から、物品が格納された位置を特定する。
【０１３３】
制御部３２５は、質量センサ３２４から質量の変化量を、入力部３２３から物品名が示す物品の質量とし、取得したユーザ識別子及び現在の日時、物品名、画像、質量、保管位置を含み、追加ボタンの押下の有無に応じた物品情報を生成する。制御部３２５は、生成した物品情報を送信部３２６を介して、サーバ１０１へ送信する。
【０１３４】
（９）送信部３２６
送信部３２６は、上述したＮＩＣを含むものであり、ユーザ端末３０２と、サーバ１０１との間の情報の送受信をインターネット１１０を介して行うものである。
【０１３５】
具体的には、送信部３２６は、制御部３２５から受け取った物品情報を、インターネット１１０を介してサーバ１０１へ送信する。
【０１３６】
１．４  ユーザ端末１０３
ここでは、ユーザ端末１０３の構成について説明する。
【０１３７】
ユーザ端末１０３は、例えば、携帯型の情報端末であり、図１１に示すように、識別子記憶部４０１、入力部４０２、制御部４０３、表示部４０４及び送受信部４０５から構成されている。ユーザ端末１０３は、プロセッサ、メモリ及びＮＩＣ（Ｎｅｔｗｏｒｋ  Ｉｎｔｅｒｆａｃｅ  Ｃａｒｄ）を含んで構成されており、制御部４０３の機能は、メモリに記憶されているプログラムをプロセッサが実行することにより実現される。また、ユーザ端末１０３が行うインターネット１１０を介した情報の送受信は、ＮＩＣを用いて行われる。
【０１３８】
（１）識別子記憶部４０１
識別子記憶部４０１は、ユーザ端末１０３のユーザを識別する識別子を記憶しているメモリ領域である。
【０１３９】
（２）入力部４０２
入力部４０２は、提供情報の要求を受け付けると、その旨を制御部４０３へ出力する。また、入力部４０２は、提供情報の要求の対象となる物品の物品名を受け付けると、受け付けた物品名を制御部４０３へ出力する。
【０１４０】
（３）制御部４０３
制御部４０３は、提供情報を要求する旨、及び物品名を入力部４０２から受け取ると、識別子記憶部４０１からユーザ識別子を取得する。
【０１４１】
制御部４０３は、取得したユーザ識別子、及び入力部４０２から受け取った物品名を含む要求情報を生成し、生成した要求情報を、送受信部４０５を介してサーバ１０１へ送信する。
【０１４２】
制御部４０３は、送受信部４０５を介して、提供情報をサーバから受信すると、受信した提供情報を、表示部４０４を用いて表示する。
【０１４３】
（４）表示部４０４
表示部４０４は、ＬＣＤ（Ｌｉｑｕｉｄ  Ｃｒｙｓｔａｌ  Ｄｉｓｐｌａｙ）を含み、画像、文字等を表示するものである。
【０１４４】
表示部４０４は、制御部４０３から受け取った提供情報を表示する。
【０１４５】
以下、表示部４０４が表示する提供情報の表示例について説明する。
【０１４６】
図１２は、サーバ１０１でトマトの劣化レベルがレベル１からレベル２の間であると特定された場合の提供情報についての画面例である。この場合、サーバ１０１は、劣化レベルがレベル１からレベル２に対応する１つ以上のレシピ情報からなる情報を提供情報として、レシピ情報テーブルＴ３００から取得し、送信する。ユーザ端末１０３の表示部４０４は、１つ以上のレシピ情報が示す料理の料理名を表示する（図１２の画面Ｇ１００参照）。
【０１４７】
図１３は、サーバ１０１でトマトの劣化レベルがレベル３を超えていると特定され、ユーザが利用する店舗にトマトの販売が行われている場合の提供情報についての画面例である。この場合、サーバ１０１は、トマトについての１つ以上の販売情報を提供情報として、販売情報テーブルＴ２００から取得し、送信する。ユーザ端末１０３の表示部４０４は、１つ以上の販売情報が示すトマトの販売店の店舗名を表示する（図１３の画面Ｇ１０１参照）。
【０１４８】
図１４は、サーバ１０１でトマトの劣化レベルがレベル３を超えていると特定され、ユーザが利用する店舗にトマトの販売が行われていない場合の提供情報についての画面例である。この場合、サーバ１０１は、トマトを料理に使用することをお奨めできない旨のメッセージを提供情報として生成し、送信する。ユーザ端末１０３の表示部４０４は、メッセージを表示する（図１４の画面Ｇ１０２参照）。
【０１４９】
（５）送受信部４０５
送受信部４０５は、上述したＮＩＣを含むものであり、ユーザ端末１０３と、サーバ１０１との間の情報の送受信をインターネット１１０を介して行うものである。
【０１５０】
具体的には、送受信部４０５は、制御部４０３から受け取った要求情報を、インターネット１１０を介してサーバ１０１へ送信する。また、送受信部４０５は、インターネット１１０を介して、サーバ１０１から提供情報を受信すると、受信した提供情報を制御部４０３へ出力する。
【０１５１】
１．５  動作
（１）概要
ここでは、情報提供システム１００の動作概要について、図１５に示す流れ図を用いて説明する。
【０１５２】
カメラ付き機器１０２は、カメラ３０１で撮影された物品についての物品情報を生成し、生成した物品情報を、インターネット１１０を介してサーバ１０１へ送信する（ステップＳ５）。
【０１５３】
サーバ１０１は、カメラ付き機器１０２からインターネット１１０を介して、物品情報を受信すると（ステップＳ１０）、受信した物品情報を物品情報テーブルＴ５００へ格納する（ステップＳ１５）。
【０１５４】
サーバ１０１は、受信した物品情報と、物品情報に関する物品についての購入情報とを用いて、保管情報を生成し、生成した保管情報を保管情報テーブルＴ６００へ格納する（ステップＳ２０）。なお、既に物品情報に関する物品についての保管情報が保管情報テーブルＴ６００に存在する場合には、受信した物品情報を用いて、その保管情報を更新する。
【０１５５】
ユーザ端末１０３は、ユーザからの指示により、要求情報を、インターネット１１０を介してサーバ１０１へ送信する（ステップＳ２５）。
【０１５６】
サーバ１０１は、ユーザ端末１０３からインターネット１１０を介して、要求情報を受信する（ステップＳ３０）。サーバ１０１は、受信した要求情報に含まれる物品名が示す物品の品質状態（劣化レベル）を特定する（ステップＳ３５）。サーバ１０１は、物品の品質状態に応じた提供情報を取得し（ステップＳ４０）、取得した提供情報を、インターネット１１０を介してユーザ端末１０３へ送信する（ステップＳ４５）。
【０１５７】
ユーザ端末１０３は、サーバ１０１からインターネット１１０を介して、提供情報を受信すると（ステップＳ５０）、受信した提供情報を表示する（ステップＳ５５）。
【０１５８】
（２）物品情報を受信した場合の処理
ここでは、サーバ１０１が、カメラ付き機器１０２から送信された物品情報を受信した場合の処理について、図１６に示す流れ図を用いて説明する。
【０１５９】
サーバ１０１の送受信部２１１は、カメラ付き機器１０２からインターネット１１０を介して、物品情報を受信する（ステップＳ１００）。なお、ステップＳ１００が、図１５に示すステップＳ１０の詳細な処理を示している。
【０１６０】
サーバ１０１の物品情報取得部２０７は、受信した物品情報を物品情報テーブルＴ５００へ格納する（ステップＳ１０５）。なお、ステップＳ１０５が、図１５に示すステップＳ１５の詳細な処理を示している。
【０１６１】
サーバ１０１の保管情報生成部２０８は、受信した物品情報に関連する物品が新規追加された物品であるか否かを判断する（ステップＳ１１０）。具体的には、保管情報生成部２０８は、受信した物品情報に含まれる追加ボタンＴ５０７が“有”を示しているか否かを判断する。保管情報生成部２０８は、追加ボタンＴ５０７が“有”を示している場合には、物品情報に関連する物品が新規追加された物品であると判断する。保管情報生成部２０８は、追加ボタンＴ５０７が“有”を示していない場合には、物品情報に関連する物品が新規追加された物品でないと判断する。
【０１６２】
物品情報に関連する物品が新規追加された物品であると判断する場合には（ステップＳ１１０における「Ｙｅｓ」）、保管情報生成部２０８は、物品情報に含まれるユーザ識別子及び物品名の双方とも一致するユーザ識別子及び物品名を含む購入情報を、購入情報テーブルＴ４００から取得する（ステップＳ１１５）。
【０１６３】
保管情報生成部２０８は、取得した購入情報と、受信した物品情報とを用いて、保管情報を生成し、生成した保管情報を、保管情報テーブルＴ６００へ格納する（ステップＳ１２０）。
【０１６４】
物品情報に関連する物品が新規追加された物品でないと判断する場合には（ステップＳ１１０における「Ｎｏ」）、保管情報生成部２０８は、物品情報に含まれるユーザ識別子及び物品名の双方とも一致するユーザ識別子及び物品名を含む保管情報に対して更新処理を行う（ステップＳ１２５）。
【０１６５】
なお、ステップＳ１１０からＳ１２５が、図１５に示すステップＳ２０の詳細な処理を示している。
【０１６６】
（３）保管情報の更新処理
ここでは、図１６のステップＳ１２５に示す保管情報の更新処理の詳細な動作について、図１７に示す流れ図を用いて説明する。
【０１６７】
保管情報生成部２０８は、物品情報に含まれるユーザ識別子及び物品名の双方とも一致するユーザ識別子及び物品名を含む保管情報を、保管情報テーブルＴ６００から取得する（ステップＳ２００）。
【０１６８】
保管情報生成部２０８は、物品情報に含まれる物品名が示す物品の残量を算出する（ステップＳ２０５）。具体的には、保管情報生成部２０８は、受信した物品情報で示される物品について追加ボタンが押下されたことを示す追加ボタンＴ５０７を含む物品情報を取得する。保管情報生成部２０８は、数式“受け取った物品情報に含まれる質量”／“物品情報テーブルＴ５００から取得した物品情報に含まれる質量”から残量を算出する。
【０１６９】
保管情報生成部２０８は、保管情報テーブルＴ６００から取得した保管情報に含まれる残量を、算出した残量へと更新し（ステップＳ２１０）、さらに更新日を更新する（ステップＳ２１５）。
【０１７０】
（４）提供情報の取得処理
ここでは、サーバ１０１が、ユーザ端末１０３から要求情報を受信した場合に、提供情報を取得し、送信する処理について、図１８に示す流れ図を用いて説明する。
【０１７１】
サーバ１０１の送受信部２１１は、ユーザ端末１０３から送信された要求情報を受信したか否かを判断する（ステップＳ３００）。
【０１７２】
要求情報を受信したと判断する場合には（ステップＳ３００における「Ｙｅｓ」）、サーバ１０１の提供情報取得部２０９は、受信した要求情報に含まれる物品名が示す物品を特定する（ステップＳ３０５）。要求情報を受信していないと判断する場合には（ステップＳ３００における「Ｎｏ」）、提供情報取得部２０９は、要求情報の受信待ちとなる。
【０１７３】
サーバ１０１の品質特定部２１０は、ステップＳ３０５で特定された物品が撮影された最新の画像と、物品の劣化パターン群を用いて、物品の現在の品質状態（劣化レベル）を特定する（ステップＳ３１０）。具体的には、品質特定部２１０は、要求情報に含まれる物品名と一致する物品名の劣化パターン群を品質パターン記憶部２０６から取得し、さらに、要求情報に含まれるユーザ識別子及び物品名の双方とも一致するユーザ識別子及び物品名を含む物品情報のうち、撮影日時が最新のものを、保管情報記憶部２０５の物品情報テーブルＴ５００から取得する。品質特定部２１０は、取得した物品情報に含まれる画像と、劣化パターン群とを比較し、提供情報が要求された物品の劣化レベルを特定する。なお、劣化レベルを特定する際に、取得した物品情報に含まれる画像の撮影日時が、要求情報を受け取ったときよりも所定日数前である場合には、品質特定部２１０は、特定した劣化レベルに、さらに所定値を付加し、物品の現在の劣化レベルとする。
【０１７４】
提供情報取得部２０９は、ステップＳ３１０で特定された、物品の劣化レベルがレベル３を超えているか否かを判断する（ステップＳ３１５）。
【０１７５】
物品の劣化レベルがレベル３を超えていないと判断する場合には（ステップＳ３１５における「Ｎｏ」）、提供情報取得部２０９は、物品の劣化レベルに応じ、当該物品を使用した料理についての１つ以上のレシピ情報を、レシピ情報テーブルＴ３００から取得する（ステップＳ３２０）。
【０１７６】
物品の劣化レベルがレベル３を超えていると判断する場合には（ステップＳ３１５における「Ｙｅｓ」）、提供情報取得部２０９は、物品が現在販売されているか否かを判断する（ステップＳ３２５）。具体的には、提供情報取得部２０９は、販売情報テーブルＴ２００及びユーザ情報テーブルＴ１００を用いて、要求情報に含まれる物品名が示す物品が、要求情報に含まれるユーザ識別子が示すユーザが利用する店舗で販売されているか否かを判断する。
【０１７７】
物品が現在販売されていると判断する場合には（ステップＳ３２５における「Ｙｅｓ」）、提供情報取得部２０９は、物品に対応する販売情報を取得し、第１メッセージを生成する（ステップＳ３３０）。ここで、第１メッセージは、取得した販売情報に含まれる店舗名で、物品名で示される物品の購入を促す旨のメッセージである。提供情報取得部２０９は、物品名、及び取得した販売情報に含まれる店舗名を挿入することで、第１メッセージが完成するような定型文を、劣化レベルが３を超えていることを示す情報と対応付けて、予め記憶している。
【０１７８】
物品が現在販売されていないと判断する場合には（ステップＳ３２５における「Ｎｏ」）、提供情報取得部２０９は、物品について料理には使用しない旨の第２メッセージを生成する（ステップＳ３３５）。具体的には、提供情報取得部２０９は、物品名を挿入することで第２メッセージが完成するような定型文を、劣化レベルが３を超えていることを示す情報と対応付けて、予め記憶している。提供情報取得部２０９は、記憶している定型文にユーザから指定された物品名を挿入することで、送信すべきメッセージを取得する。
【０１７９】
提供情報取得部２０９は、ステップＳ３２０で取得された１つ以上のレシピ情報からなる情報を提供情報として、ステップＳ３３０で生成された第１メッセージを提供情報として、又はステップＳ３３５で生成された第２メッセージを提供情報として、ユーザ端末１０３へ送信する（ステップＳ３４０）。
【０１８０】
なお、ステップＳ３００の処理、特に要求情報を受信したと判断する場合の処理が、図１５に示すステップＳ３０の処理に対応している。また、ステップＳ３０５からステップＳ３１０が、図１５に示すステップＳ３５の詳細な処理を示しており、ステップＳ３１５からステップＳ３３５が図１５に示すステップＳ４０の詳細な処理を示している。さらに、ステップＳ３４０が、図１５に示すステップＳ４５の詳細な処理を示している。
【０１８１】
２．実施の形態２
２．１  情報提供システム１０００について
情報提供システム１０００は、ユーザが有する物品である衣服の状態に応じて、物品（衣服）に関連する提供情報をユーザに提供するシステムである。
【０１８２】
情報提供システム１０００は、図１９に示すように、サーバ１１０１、カメラ付き機器１１０２、ユーザ端末１１０３、購入決済端末１１０４及び店舗端末１１０５から構成されている。
【０１８３】
サーバ１１０１は、ユーザが保管する物品（衣服）について管理している。サーバ１１０１は、インターネット１１０を介して、ユーザ端末１１０３から物品（衣服）に関連する提供情報の要求を受け付けると、管理しているユーザの物品の状態変化（例えば品質の変化）に応じた提供情報をユーザに提供する。
【０１８４】
カメラ付き機器１１０２は、例えばカメラと連動した鏡台である。カメラ付き機器１１０２は、ユーザが鏡の前で身だしなみを整える際に、カメラを用いて物品を撮影し、サーバ１１０１で管理されるよう、撮影した画像をサーバ１１０１へインターネット１１０を介して送信する。
【０１８５】
ユーザ端末１１０３は、インターネット１１０を介して、物品の提供情報を要求する旨の要求情報をサーバ１１０１へ送信する。ユーザ端末１１０３は、要求した物品の提供情報をサーバ１１０１から受信すると、その内容を表示することで、ユーザに通知する。
【０１８６】
購入決済端末１１０４は、例えば衣料品の店舗に備え付けられたＰＯＳ端末であり、ユーザが購入した物品（衣服）に関する情報（衣服用購入情報）を、インターネット１１０を介してサーバ１１０１へ送信する。
【０１８７】
店舗端末１１０５は、衣料品の店舗で販売している物品（衣服）に関する情報（衣服用販売情報）を管理する端末である。店舗端末１１０５は、サーバ１１０１が提供情報の生成等による取得の際に、衣服用販売情報を利用できるようにするために、衣服用販売情報をインターネット１１０を介してサーバ１１０１へ送信する。
【０１８８】
２．２  サーバ１１０１
ここでは、サーバ１１０１の構成について説明する。
【０１８９】
サーバ１１０１は、図２０に示すように、ユーザ情報記憶部１２０１、販売情報記憶部１２０２、購入情報記憶部１２０４、保管情報記憶部１２０５、品質パターン記憶部１２０６、物品情報取得部１２０７、保管情報生成部１２０８、提供情報取得部１２０９、品質特定部１２１０及び送受信部１２１１から構成されている。
【０１９０】
サーバ１１０１は、プロセッサ、メモリ及びＮＩＣを含んで構成されており、物品情報取得部１２０７、保管情報生成部１２０８、提供情報取得部１２０９及び品質特定部１２１０の各機能は、メモリに記憶されているプログラムをプロセッサが実行することにより実現される。また、サーバ１１０１が行うインターネット１１０を介した情報の送受信は、ＮＩＣを用いて行われる。
【０１９１】
（１）ユーザ情報記憶部１２０１
ユーザ情報記憶部１２０１は、実施の形態１で示すユーザ情報記憶部２０１と同様であるため、ここでの説明は省略する。なお、以下において、必要であれば図３に示すユーザ情報テーブルＴ１００を用いて説明する。
【０１９２】
（２）販売情報記憶部１２０２
販売情報記憶部１２０２は、店舗毎に、当該店舗が販売する物品（衣服）に関する情報（衣服用販売情報）を格納するためのメモリ領域であり、販売情報テーブルＴ１２００を有している。
【０１９３】
販売情報テーブルＴ１２００は、図２１に示すように、店舗名Ｔ１２０１、物品名Ｔ１２０２、店頭配置日Ｔ１２０３、配置情報Ｔ１２０４、在庫数Ｔ１２０５、入手ルートＴ１２０６、色Ｔ１２０７、組み合わせ色Ｔ１２０８及び組み合わせ物品名Ｔ１２０９からなる組（衣服用販売情報）を１つ以上格納するものである。
【０１９４】
店舗名Ｔ２０１は、店舗の名前を示すものである。
【０１９５】
物品名Ｔ２０２は、店舗で販売されている物品の名称を示すものである。
【０１９６】
店頭配置日Ｔ１２０３は、対応する物品名で示される物品が店頭に配置された日を示すものでる。
【０１９７】
配置情報Ｔ１２０４は、対応する物品名で示される物品が配置された場所を示すものである。
【０１９８】
在庫数Ｔ１２０５は、対応する物品名で示される物品の在庫数を示すものである。
【０１９９】
入手ルートＴ１２０６は、対応する物品名で示される物品の入手先を示すものである。
【０２００】
色Ｔ１２０７は、対応する物品名で示される物品の色を示すものである。
【０２０１】
組み合わせ色Ｔ１２０８は、色Ｔ１２０７で示される色と組み合わせる際のお奨めの色を示すものである。
【０２０２】
組み合わせ物品名Ｔ１２０９は、物品名Ｔ１２０２で示される物品と組み合わせる際のお奨めの物品の物品名を示すものである。
【０２０３】
（３）購入情報記憶部１２０４
購入情報記憶部１２０４は、店舗毎に、各ユーザが購入した物品に関する情報（衣服用購入情報）を格納するためのメモリ領域であり、購入情報テーブルＴ１４００を有している。
【０２０４】
購入情報テーブルＴ１４００は、図２２に示すように、店舗名Ｔ１４０１、購入ユーザＴ１４０２、物品名Ｔ１４０３、購入日Ｔ１４０４及び購入数Ｔ１４０５からなる組（衣服用購入情報）を１つ以上格納するものである。
【０２０５】
店舗名Ｔ１４０１は、店舗の名前を示すものである。
【０２０６】
購入ユーザＴ１４０２は、購入したユーザを示すものである。なお、ここでは購入ユーザはユーザ識別子で示される。
【０２０７】
物品名Ｔ１４０３は、ユーザが購入した物品の名称を示すものである。
【０２０８】
購入日Ｔ１４０４は、ユーザが購入した物品の購入日を示すものである。
【０２０９】
購入数Ｔ１４０５は、ユーザが購入した物品の購入数を示すものである。
【０２１０】
（４）保管情報記憶部１２０５
保管情報記憶部１２０５は、ユーザが有する物品に関する情報を記憶しているメモリ領域であり、物品情報テーブルＴ１５００と保管情報テーブルＴ１６００とを有している。
【０２１１】
（４−１）物品情報テーブルＴ１５００
物品情報テーブルＴ１５００は、ユーザが有する物品（衣服）の状態を示す情報を記憶しており、図２３に示すように、ユーザ識別子Ｔ１５０１、物品名Ｔ１５０２、画像Ｔ１５０３、撮影日時Ｔ１５０４及び追加ボタンＴ１５０５からなる組（衣服用物品情報）を１つ以上格納するものである。
【０２１２】
ユーザ識別子Ｔ１５０１は、ユーザを識別するための識別子である。
【０２１３】
物品名Ｔ１５０２は、ユーザが有する物品の名前を示すものである。
【０２１４】
画像Ｔ１５０３は、物品名に対応し、ユーザが有する物品の画像である。
【０２１５】
撮影日時Ｔ１５０４は、画像の撮影日時を示すものである。
【０２１６】
追加ボタンＴ１５０５は、後述するカメラ付き機器１１０２の追加ボタンが押下されたか否かを示すものである。
【０２１７】
（４−２）保管情報テーブルＴ１６００
保管情報テーブルＴ１６００は、ユーザが有する物品についての購入日等の情報を記憶しており、図２４に示すように、ユーザ識別子Ｔ１６０１、物品名Ｔ１６０２、購入日Ｔ１６０３及び購入店Ｔ１６０４からなる組（衣服用保管情報）を１つ以上格納するものである。
【０２１８】
ユーザ識別子Ｔ１６０１は、ユーザを識別するための識別子である。
【０２１９】
物品名Ｔ１６０２は、ユーザが有する物品の名前を示すものである。
【０２２０】
購入日Ｔ１６０３は、物品名Ｔ６０２で示される物品をユーザが購入した日を示すものである。
【０２２１】
購入店Ｔ１６０４は、物品名Ｔ１６０２で示される物品についてユーザが購入した店舗を示すものである。
【０２２２】
（５）品質パターン記憶部１２０６
品質パターン記憶部１２０６は、ユーザが有する物品の状態（劣化レベル）を特定するために、物品情報に含まれる画像と比較対象となる参考画像を記憶しているメモリ領域であり、品質パターンテーブルＴ１７００を有している。
【０２２３】
品質パターンテーブルＴ１７００は、図２５に示すように、物品名Ｔ１７０１及び劣化レベルＴ１７０２とからなる組を１つ以上格納するものである。
【０２２４】
物品名Ｔ１７０１は、ユーザが有する物品の名前を示すものである。
【０２２５】
劣化レベルＴ１７０２は、図２５に示すように、劣化レベル１、劣化レベル２に分類されている。劣化レベルＴ１７０２では、各劣化レベルに応じた物品の画像それぞれが格納されている。ここで、レベル数が高くなるにつれ、対応する物品の劣化度は増している。劣化レベル２を超えると、例えば、その衣服の色落ちが激しくなっている。なお、実施の形態１と同様に、本実施の形態２においても、各劣化レベルの画像からなる画像群を劣化パターン群という。
【０２２６】
（６）物品情報取得部１２０７
物品情報取得部１２０７は、インターネット１１０を介して、カメラ付き機器１１０２から衣服用物品情報を取得すると、取得した衣服用物品情報を保管情報記憶部１２０５の物品情報テーブルＴ１５００へ格納する。
【０２２７】
さらに、物品情報取得部１２０７は、取得した物品情報を保管情報生成部１２０８へ出力する。
【０２２８】
（７）保管情報生成部１２０８
保管情報生成部１２０８は、物品情報取得部１２０７から出力されたユーザが有する物品の物品情報、及び購入情報記憶部１２０４で記憶されている、ユーザに関する衣服用購入情報を用いて、保管情報を生成するものである。
【０２２９】
具体的には、保管情報生成部１２０８は、以下の機能を有する。
【０２３０】
物品情報取得部１２０７から受け取った物品情報に含まれる追加ボタンＴ１５０５が“有”を示している場合には、保管情報生成部１２０８は、受け取った物品情報に含まれるユーザ識別子及び物品名の双方とも一致するユーザ識別子及び物品名を含む衣服用購入情報を、購入情報記憶部１２０４から取得する。保管情報生成部１２０８は、購入情報記憶部１２０４から取得した購入情報を用いて、保管情報を生成し、生成した保管情報を保管情報記憶部１２０５の保管情報テーブルＴ１６００へ格納する。
【０２３１】
物品情報取得部１２０７から受け取った物品情報に含まれる追加ボタンＴ１５０５が“無”を示している場合には、保管情報生成部１２０８は、保管情報の生成は行わない。
【０２３２】
（８）提供情報取得部１２０９
提供情報取得部１２０９は、ユーザが有する物品の劣化レベルに応じた提供情報を取得し、インターネット１１０を介してユーザに提供するものである。
【０２３３】
具体的には、提供情報取得部１２０９は、以下の機能を有する。
【０２３４】
提供情報取得部１２０９は、インターネット１１０を介してユーザ端末１１０３からユーザが有する物品（衣服）に関連する提供情報を要求する要求情報を取得する。ここで、要求情報は、実施の形態１と同様に、ユーザ識別子と、要求する要求情報に対応する物品を示す物品名とを含んでいる。
【０２３５】
提供情報取得部１２０９は、ユーザ端末１１０３から取得した要求情報を、品質特定部１２１０へ出力する。
【０２３６】
提供情報取得部１２０９は、要求情報に含まれる物品名に対応する、ユーザが有する物品についての劣化レベルを、品質特定部１２１０から取得する。
【０２３７】
提供情報取得部１２０９は、取得した劣化レベルに基づいて、要求情報に含まれる物品名で示される物品について、ユーザへ提供すべき提供情報を取得する。例えば、提供情報取得部１２０９は、劣化レベルに応じて、物品に対する提供情報を生成することで取得、又は販売情報記憶部１２０２から物品を販売する店舗を示す情報を提供情報として取得する。
【０２３８】
提供情報取得部１２０９は、取得した提供情報を、要求情報を要求したユーザ端末１１０３にインターネット１１０を介して送信する。
【０２３９】
（９）品質特定部１２１０
品質特定部１２１０は、ユーザが有する物品の状態（劣化レベル）を特定するものである。
【０２４０】
具体的には、品質特定部１２１０は、以下の機能を有する。
【０２４１】
品質特定部１２１０は、提供情報取得部１２０９から要求情報を受け取ると、受け取った要求情報に含まれる物品名と一致する物品名の劣化パターン群を品質パターン記憶部１２０６から取得する。
【０２４２】
また、品質特定部１２１０は、受け取った要求情報に含まれるユーザ識別子及び物品名の双方とも一致するユーザ識別子及び物品名を含む物品情報のうち、撮影日時が最新のものを、保管情報記憶部１２０５の物品情報テーブルＴ１５００から取得する。
【０２４３】
品質特定部１２１０は、取得した物品情報に含まれる画像と、劣化パターン群とを比較し、提供情報が要求された物品の劣化レベルを特定する。例えば、物品情報に含まれる画像に含まれる物品の色合いが、劣化レベル１から２の画像に含まれる物品のどの色合いに類似するか、劣化レベル１と２との中間色に類似するか、又は劣化レベル２で示される色よりも色褪せているか等の判断することで物品の劣化レベルを特定する。
【０２４４】
また、劣化レベルを特定する際に、取得した物品情報に含まれる画像の撮影日時が、要求情報を受け取ったときよりも所定日数（例えば、３日）前である場合には、品質特定部１２１０は、特定した劣化レベルに、さらに所定値を付加し、物品の現在の劣化レベルとする。例えば、品質特定部１２１０は、実施の形態１で示す算出方法と同様の算出方法により、現在の劣化レベルを取得することができる。なお、取得した物品情報に含まれる画像の撮影日時が、要求情報を受け取ったときよりも所定日数以内である場合には、品質特定部１２１０は、比較により特定された劣化レベルを、物品の現在の劣化レベルとする。
【０２４５】
品質特定部１２１０は、劣化パターン群との比較に基づいて得られた物品の現在の劣化レベルを提供情報取得部１２０９へ出力する。
【０２４６】
（１０）送受信部２１１
送受信部１２１１は、上述したＮＩＣを含むものであり、サーバ１１０１と、カメラ付き機器１１０２、ユーザ端末１１０３、購入決済端末１１０４及び店舗端末１１０５との間の情報の送受信をインターネット１１０を介して行うものである。
【０２４７】
具体的には、送受信部１２１１は、以下の機能を有する。
【０２４８】
送受信部１２１１は、インターネット１１０を介してカメラ付き機器１１０２から、衣服用物品情報を受信すると、受信した衣服用物品情報を物品情報取得部１２０７へ出力する。
【０２４９】
送受信部１２１１は、インターネット１１０を介してユーザ端末１１０３から、要求情報を受信すると、受信した要求情報を提供情報取得部１２０９へ出力する。
【０２５０】
送受信部１２１１は、インターネット１１０を介して購入決済端末１１０４から、衣服用購入情報を受信すると、受信した衣服用購入情報を購入情報記憶部１２０４の購入情報テーブルＴ１４００へ格納する。
【０２５１】
送受信部１２１１は、インターネット１１０を介して店舗端末１１０５から、衣服用販売情報を受信すると、受信した衣服用販売情報を販売情報記憶部１２０２の販売情報テーブルＴ１２００へ格納する。
【０２５２】
２．３  カメラ付き機器１１０２
ここでは、カメラ付き機器１１０２の構成について説明する。
【０２５３】
カメラ付き機器１１０２は、例えば、インターネットを介した情報の送受信が可能なカメラ付きの端末が備え付けられた鏡台である。
【０２５４】
カメラ付き機器１１０２は、図２６に示すように、識別子記憶部３２１、カメラ１３２２、入力部１３２３、制御部１３２５及び送信部１３２６から構成されている。カメラ付き機器１１０２は、プロセッサ、メモリ及びＮＩＣ（Ｎｅｔｗｏｒｋ  Ｉｎｔｅｒｆａｃｅ  Ｃａｒｄ）を含んで構成されており、制御部１３２５の機能は、メモリに記憶されているプログラムをプロセッサが実行することにより実現される。また、カメラ付き機器１１０２が行うインターネット１１０を介した情報の送受信は、ＮＩＣを用いて行われる。
【０２５５】
（１）識別子記憶部１３２１
識別子記憶部１３２１は、カメラ付き機器１１０２のユーザを識別する識別子を記憶しているメモリ領域である。
【０２５６】
（２）カメラ１３２２
カメラ１３２２は、物体を撮影する撮影機能を有するものである。
【０２５７】
具体的には、カメラ１３２２は、ユーザが鏡の前で身だしなみを整える際に鏡台の前に立ったときに、ユーザが着ている衣服を撮影する。
【０２５８】
（３）入力部１３２３
入力部１３２３は、文字入力機能、及び上述した追加ボタンを有している。
【０２５９】
入力部１３２３は、カメラ１３２２の撮影対象である物品の物品名の入力を受け付け、受け付けた物品名を制御部１３２５へ出力する。
【０２６０】
入力部１３２３は、追加ボタンがユーザにより押下された場合には、その旨を制御部１３２５へ出力する。
【０２６１】
（４）制御部１３２５
制御部１３２５は、カメラ付き機器１１０２の機能全体を制御するものであり、さらに日時を計時する機能を有している。
【０２６２】
具体的な制御部１３２５の機能について、以下に説明する。
【０２６３】
制御部１３２５は、撮影された画像をカメラ１３２２から受け取り、且つ入力部１３２３から物品名を受け取ると、識別子記憶部１３２１からユーザ識別子を取得する。また、制御部１３２５は、現在の日時を取得する。
【０２６４】
制御部１３２５は、取得したユーザ識別子及び現在の日時、物品名、画像を含み、追加ボタンの押下の有無に応じた衣服用物品情報を生成する。制御部１３２５は、生成した衣服用物品情報を送信部１３２６を介して、サーバ１１０１へ送信する。
【０２６５】
（５）送信部１３２６
送信部１３２６は、上述したＮＩＣを含むものであり、カメラ付き機器１１０２とサーバ１１０１との間の情報の送受信を、インターネット１１０を介して行うものである。
【０２６６】
具体的には、送信部１３２６は、制御部１３２５から受け取った衣服用物品情報を、インターネット１１０を介してサーバ１１０１へ送信する。
【０２６７】
２．４  ユーザ端末１１０３
ユーザ端末１１０３は、ユーザの指示により衣服に関連する提供情報の要求を受け付けると、衣服に関連する提供情報に対する要求情報をサーバ１１０１へ送信すると、サーバ１１０１から衣服に関連する提供情報を受信し、受信した提供情報を表示するものである。
【０２６８】
実施の形態１のユーザ端末１０３との違いは、本実施の形態では送受信に関連する情報（要求情報及び提供情報）が衣服に関するものであるのに対し、実施の形態１では、食料品に関するものであることである。つまりは情報の内容の違いのみであり、本実施の形態のユーザ端末１１０３と、実施の形態１のユーザ端末１０３との構成要素は、同じである。そのため、ユーザ端末１１０３の構成要素についての説明は省略する。
【０２６９】
２．５  動作
（１）概要
実施の形態１の情報提供システム１００との違いは、本実施の形態では各装置間で送受信される情報（要求情報及び提供情報）、及びサーバ１１０１で生成される保管情報が衣服に関するものであるのに対し、実施の形態１では、食料品に関する情報であることである。そのため、本実施の形態の情報提供システム１０００の動作概要は、実施の形態１の図１５に示す流れ図を用いて説明した動作概要と同様である。そこで、情報提供システム１０００の動作概要についての説明は省略する。
【０２７０】
（２）物品情報を受信した場合の処理
ここでは、サーバ１１０１が、カメラ付き機器１１０２から送信された、衣服用物品情報を受信した場合の処理について、図２７に示す流れ図を用いて説明する。
【０２７１】
サーバ１１０１の送受信部１２１１は、カメラ付き機器１１０２からインターネット１１０を介して、衣服用物品情報を受信する（ステップＳ４００）。
【０２７２】
サーバ１１０１の物品情報取得部１２０７は、受信した衣服用物品情報を物品情報テーブルＴ１５００へ格納する（ステップＳ４０５）。
【０２７３】
サーバ１１０１の保管情報生成部１２０８は、受信した衣服用物品情報に関連する物品が新規追加された物品であるか否かを判断する（ステップＳ４１０）。具体的には、保管情報生成部１２０８は、受信した衣服用物品情報に含まれる追加ボタンＴ１５０５が“有”を示しているか否かを判断する。保管情報生成部１２０８は、追加ボタンＴ１５０５が“有”を示している場合には、衣服用物品情報に関連する物品が新規追加された物品であると判断する。保管情報生成部１２０８は、追加ボタンＴ１５０５が“有”を示していない場合には、衣服用物品情報に関連する物品が新規追加された物品でないと判断する。
【０２７４】
衣服用物品情報に関連する物品が新規追加された物品であると判断する場合には（ステップＳ４１０における「Ｙｅｓ」）、保管情報生成部１２０８は、衣服用物品情報に含まれるユーザ識別子及び物品名の双方とも一致するユーザ識別子及び物品名を含む衣服用購入情報を、購入情報テーブルＴ１４００から取得する（ステップＳ４１５）。
【０２７５】
保管情報生成部１２０８は、取得した衣服用購入情報と、受信した衣服用物品情報とを用いて、衣服に関する保管情報を生成し、生成した保管情報を、保管情報テーブルＴ６００へ格納する（ステップＳ４２０）。
【０２７６】
衣服用物品情報に関連する物品が新規追加された物品でないと判断する場合には（ステップＳ４１０における「Ｎｏ」）、処理は終了する。
【０２７７】
（３）提供情報の送信処理
ここでは、サーバ１１０１が、ユーザ端末１１０３から衣服に関連する要求情報を受信した場合に、衣服に関連する提供情報を取得し、送信する処理について、図２８に示す流れ図を用いて説明する。
【０２７８】
サーバ１１０１の送受信部１２１１は、ユーザ端末１１０３から送信された、衣服に関連する要求情報を受信したか否かを判断する（ステップＳ５００）。
【０２７９】
要求情報を受信したと判断する場合には（ステップＳ５００における「Ｙｅｓ」）、サーバ１１０１の提供情報取得部１２０９は、受信した要求情報に含まれる物品名が示す物品を特定する（ステップＳ５０５）。要求情報を受信していないと判断する場合には（ステップＳ５００における「Ｎｏ」）、提供情報取得部１２０９は、要求情報の受信待ちとなる。
【０２８０】
サーバ１１０１の品質特定部１２１０は、ステップＳ５０５で特定された物品が撮影された最新の画像と、物品の劣化パターン群を用いて、物品の現在の品質状態（劣化レベル）を特定する（ステップＳ５１０）。具体的には、品質特定部１２１０は、要求情報に含まれる物品名と一致する物品名の劣化パターン群を品質パターン記憶部１２０６から取得し、さらに、要求情報に含まれるユーザ識別子及び物品名の双方とも一致するユーザ識別子及び物品名を含む物品情報のうち、撮影日時が最新のものを、保管情報記憶部１２０５の物品情報テーブルＴ１５００から取得する。品質特定部１２１０は、取得した物品情報に含まれる画像と、劣化パターン群とを比較し、提供情報が要求された物品の劣化レベルを特定する。なお、劣化レベルを特定する際に、取得した物品情報に含まれる画像の撮影日時が、要求情報を受け取ったときよりも所定日数前である場合には、品質特定部１２１０は、特定した劣化レベルに、さらに所定値を付加し、物品の現在の劣化レベルとする。
【０２８１】
提供情報取得部１２０９は、ステップＳ５１０で特定された、物品の劣化レベルがレベル２を超えているか否かを判断する（ステップＳ５１５）。
【０２８２】
物品の劣化レベルがレベル２を超えていないと判断する場合には（ステップＳ５１５における「Ｎｏ」）、提供情報取得部１２０９は、物品に関する組み合わせ色及び物品名の情報を、販売情報テーブルＴ１２００から取得する（ステップＳ５２０）。具体的には、提供情報取得部１２０９は、物品が撮影された最新の画像から物品の色を特定し、要求情報に含まれる物品名と特定した色の双方と一致する物品名及び色を含む販売情報を販売情報テーブルＴ１２００から取得する。提供情報取得部１２０９は、取得した販売情報に含まれる組み合わせ色、及び組み合わせ物品を含む組み合わせ情報を取得する。
【０２８３】
物品の劣化レベルがレベル２を超えていると判断する場合には（ステップＳ５１５における「Ｙｅｓ」）、提供情報取得部２０９は、再購入を促すメッセージを生成する（ステップＳ５２５）。具体的には、提供情報取得部２０９は、物品名を挿入することでメッセージが完成するような定型文を予め記憶している。提供情報取得部２０９は、記憶している定型文にユーザから指定された物品名を挿入することで、送信すべきメッセージを取得する。
【０２８４】
提供情報取得部２０９は、ステップＳ５２０で取得された組み合わせ情報を提供情報として、又はステップＳ５２５で生成されたメッセージを提供情報として、ユーザ端末１１０３へ送信する（ステップＳ５３０）。
【０２８５】
２．６  表示例
ここでは、ユーザ端末１１０３の表示部で表示される提供情報の表示例について説明する。
【０２８６】
図２９は、サーバ１１０１でＴシャツの劣化レベルがレベル２を超えていないと判断された場合の提供情報（組み合わせ情報）についての画面例である。例えば、ユーザにて指定された物品が、図２１に示す販売情報Ｔ１２５０の物品名及び色と一致する場合、サーバ１１０１は、販売情報Ｔ１２５０に含まれる組み合わせ色Ｔ１２０８（ここでは“黒”）と、組み合わせ物品名Ｔ１２０９（ここでは“スカート”）を含む組み合わせ情報を提供情報として、ユーザ端末１１０３へ送信する。ユーザ端末１１０３の表示部は、受信した提供情報（組み合わせ情報）を表示する（図２９の画面Ｇ１１００参照）。
【０２８７】
図３０は、サーバ１１０１でＴシャツの劣化レベルがレベル２を超えていると判断された場合の提供情報についての画面例である。この場合、サーバ１１０１は、再購入を促す旨のメッセージを提供情報として、ユーザ端末１１０３へ送信する。ユーザ端末１１０３の表示部は、受信したメッセージを表示する（図３０の画面Ｇ１１０１参照）。
【０２８８】
３．変形例
以上、実施の形態１、及び実施の形態２に基づいて、本発明を説明したが、本発明は上記の実施の形態１及び実施の形態２に限られない。例えば、以下のような変形例が考えられる。
【０２８９】
３．１  変形例１
（１）変形例１に係る情報提供システム
上記実施の形態１では、情報提供システム１００は物品の品質の劣化レベルに応じた提供情報をユーザに提供したが、これに限定されない。
【０２９０】
ユーザに供される提供情報は、物品の状態変化に応じたものであればよい。
【０２９１】
例えば、物品の状態変化に応じた提供情報として、物品の残存量に応じた提供情報がユーザに提供されてもよい。
【０２９２】
以下、物品の残存量に応じた提供情報をユーザに供する、本変形例に係る情報提供システムについて説明する。
【０２９３】
本変形例に係る情報提供システムは、実施の形態１の情報提供システムと同様に、サーバ、カメラ付き機器、ユーザ端末、購入決済端末及び店舗端末から構成されている。
【０２９４】
本変形例に係るカメラ付き機器、ユーザ端末、購入決済端末及び店舗端末については、実施の形態１で示すカメラ付き機器、ユーザ端末、購入決済端末及び店舗端末と同様であるので、ここでの説明は省略する。
【０２９５】
以下、本変形例に係るサーバについて説明する。
【０２９６】
本変形例に係るサーバの構成要素は、実施の形態１のサーバ１０１の構成要素と同様であるが、実施の形態１のサーバ１０１の品質特定部２１０の代わりに量特定部を備え、さらには提供情報を生成する提供情報取得部についての機能が、実施の形態１のサーバ１０１の提供情報取得部２０９の機能と異なる。
【０２９７】
ここでは、本変形例の提供情報取得部及び量特定部の機能について説明する。なお、以下において、必要であれば実施の形態１で説明した構成要素、又は各テーブルを用いて説明を行う。
【０２９８】
（１−１）本変形例の提供情報取得部
本変形例の提供情報取得部は、ユーザが有する物品の残存量に応じた提供情報を取得し、インターネット１１０を介してユーザに提供するものである。
【０２９９】
具体的には、本変形例の提供情報取得部は、以下の機能を有する。
【０３００】
本変形例の提供情報取得部は、インターネット１１０を介して本変形例のユーザ端末から要求情報を取得する。
【０３０１】
本変形例の提供情報取得部は、本変形例のユーザ端末から取得した要求情報を、本変形例の量特定部へ出力する。
【０３０２】
本変形例の提供情報取得部は、要求情報に含まれる物品名に対応する、ユーザが有する物品についての残存量を、本変形例の量特定部から取得する。
【０３０３】
本変形例の提供情報取得部は、取得した物品の残存量に基づいて、要求情報に含まれる物品名で示される物品について、ユーザへ提供すべき提供情報を取得する。例えば、本変形例の提供情報取得部は、残存量に応じて、物品に対する提供情報を生成することで取得、又はレシピ情報記憶部２０３から物品を材料とする料理のレシピ情報を提供情報として取得する。
【０３０４】
本変形例の提供情報取得部は、取得した提供情報を、要求情報を要求した、本変形例のユーザ端末にインターネット１１０を介して送信する。
【０３０５】
（１−２）本変形例の量特定部
本変形例の量特定部は、ユーザが有する物品の状態（残存量）を特定するものである。
【０３０６】
本変形例の量特定部は、本変形例の提供情報取得部から要求情報を受け取ると、受け取った要求情報に含まれる物品名と一致する物品名の保管情報を保管情報テーブルＴ６００から取得する。
【０３０７】
本変形例の量特定部は、取得した保管情報に含まれる、購入量／個数、及び残量を取得する。本変形例の量特定部は、取得した購入量／個数に、取得した残量を乗算することで、現在の物品の状態（残存量）を取得（特定）する。例えば、トマトを３個購入し、残量が３３％である場合には、“３×０．３３”を計算することで、残存量として、約１個を得ることができる。
【０３０８】
本変形例の量特定部は、取得した残存量を、本変形例の提供情報取得部へ出力する。
【０３０９】
（２）動作
ここでは、本変形例のサーバが、本変形例のユーザ端末から要求情報を受信した場合に、提供情報を取得し、送信する処理について、図３１に示す流れ図を用いて説明する。
【０３１０】
本変形例のサーバの送受信部は、本変形例のユーザ端末から送信された要求情報を受信したか否かを判断する（ステップＳ６００）。
【０３１１】
要求情報を受信したと判断する場合には（ステップＳ６００における「Ｙｅｓ」）、本変形例の提供情報取得部は、受信した要求情報に含まれる物品名が示す物品を特定する（ステップＳ６０５）。要求情報を受信していないと判断する場合には（ステップＳ６００における「Ｎｏ」）、本変形例の提供情報取得部は、要求情報の受信待ちとなる。
【０３１２】
本変形例の量特定部は、受け取った要求情報に含まれる物品名と一致する物品名の保管情報の含まれる購入量／個数と残量とから、物品の残存量を特定する（ステップＳ６１０）。具体的には、本変形例の量特定部は、購入量／個数に、残量を乗算することで、現在の物品の状態（残存量）を取得（特定）する。
【０３１３】
本変形例の提供情報取得部は、ステップＳ６１０で特定された物品の残存量で調理可能な料理のレシピ情報が、レシピ情報テーブルＴ３００に１つ以上存在するか否かを判断する（ステップＳ６１５）。
【０３１４】
存在すると判断する場合には（ステップＳ６１５における「Ｙｅｓ」）、本変形例の提供情報取得部は、取得した物品の残存量で調理可能な１つ以上のレシピ情報を、レシピ情報テーブルＴ３００から取得する（ステップＳ６２０）。
【０３１５】
存在しないと判断する場合には（ステップＳ６１５における「Ｎｏ」）、本変形例の提供情報取得部は、再購入を促すメッセージを生成する（ステップＳ６２５）。具体的には、本変形例の提供情報取得部は、物品名を挿入することでメッセージが完成するような定型文を、残存量で調理可能なレシピ情報がない旨の情報と対応付けて、予め記憶している。本変形例の提供情報取得部は、記憶している定型文にユーザから指定された物品名を挿入することで、送信すべきメッセージを取得する。
【０３１６】
本変形例の提供情報取得部は、ステップＳ６２０で取得された１つ以上のレシピ情報を提供情報として、又はステップＳ６２５で生成されたメッセージを提供情報として、本変形例のユーザ端末へ送信する（ステップＳ６３０）。
【０３１７】
（３）その他
本変形例では、物品の残存量を、物品の保管情報に含まれる購入量／個数と、残量とから算出して取得したが、これに限定されない。
【０３１８】
物品の残存量は、サーバが取得できる方法であればどのような方法であってもよい。
【０３１９】
例えば、ユーザが料理の際に本サーバ又は他のサーバから取得したレシピ情報を用いて物品の残存量を算出してもよい。具体的には、レシピ情報に含まれる材料の量と、家族の人数とから、レシピ情報が示す料理を作る際に必要とする物品の量を算出し、現在の物品の量から算出した量を減算することで、残存量を取得することができる。
【０３２０】
または、電子レンジ又はＩＨクッキングヒーターで調理物の質量を計測し、物品の利用量を推定することで、物品の残存量を取得してもよい。
【０３２１】
または、ユーザが、調理に利用する物品の量を、ユーザ端末等を用いてサーバへ通知してもよい。
【０３２２】
３．２  変形例２
本変形例では、物品に関する使用履歴情報に基づいた提供情報をユーザに提供する情報提供システムについて、説明する。
【０３２３】
以下、本変形例に係る情報提供システムについて説明する。
【０３２４】
本変形例に係る情報提供システムは、サーバ、カメラ付き機器、調理機器、ユーザ端末、購入決済端末及び店舗端末から構成されている。
【０３２５】
本変形例に係るカメラ付き機器、ユーザ端末、購入決済端末及び店舗端末については、実施の形態１で示すカメラ付き機器、ユーザ端末、購入決済端末及び店舗端末と同様であるので、ここでの説明は省略する。
【０３２６】
以下、本変形例に係るサーバ、及び調理機器について説明する。
【０３２７】
（１）変形例２に係る調理機器
変形例２に係る調理機器は、例えば、ミキサー、電子レンジ、ＩＨクッキングヒーター又はグリル等のような調理の際に用いられる機器であって、本変形例のサーバとインターネット１１０を介して通信可能な情報端末が備え付けられている。情報端末には、備え付けられた調理機器を識別するための機器情報（識別子、又は名称）、及びユーザを識別するためのユーザ識別子を記憶している。
【０３２８】
変形例２に係る調理機器は、ユーザによって調理の際に自機が使用されると、機器情報と、ユーザのユーザ識別子と、使用に関する情報とを含む使用履歴情報を生成し、生成した使用履歴情報を、インターネット１１０を介して本変形例のサーバへ送信する。
【０３２９】
例えば、調理機器がミキサーである場合には、使用に関する情報として、少なくとも使用時間が使用履歴情報に含まれる。また、調理機器が電子レンジである場合には、使用に関する情報として、少なくとも使用時間、レシピ及び設定温度からなる組が使用履歴情報に含まれる。また、調理機器がＩＨクッキングヒーター又はグリルである場合には、使用に関する情報として、少なくとも使用時間及び設定温度からなる組が使用履歴情報に含まれる。
【０３３０】
（２）変形例２に係るサーバ
本変形例に係るサーバの構成要素は、実施の形態１のサーバ１０１の構成要素と同様であるが、保管情報記憶部、物品情報取得部及び提供情報取得部についての機能が、実施の形態１のサーバ１０１の保管情報記憶部２０５、物品情報取得部２０７及び提供情報取得部２０９の機能と異なる。
【０３３１】
ここでは、本変形例の保管情報記憶部、物品情報取得部及び提供情報取得部の機能について説明する。なお、以下において、必要であれば実施の形態１で説明した構成要素、又は各テーブルを用いて説明を行う。
【０３３２】
本変形例の保管情報記憶部は、実施の形態１で示す各テーブル（物品情報テーブルＴ５００及び保管情報テーブルＴ６００）に加えて、使用履歴情報を１つ以上記憶するための使用履歴情報テーブルを有している。
【０３３３】
本変形例の物品情報取得部は、実施の形態１で示す機能に加えて、使用履歴情報を調理機器からインターネット１１０を介して取得し、取得した使用履歴を使用履歴情報テーブルに格納する機能を有している。
【０３３４】
本変形例の提供情報取得部は、本変形例のユーザ端末から要求情報を受け付けると、要求情報を品質特定部２１０へ出力し、受け付けた要求情報に含まれるユーザ識別子を含む全ての使用履歴情報を使用履歴情報テーブルから取得する。本変形例の提供情報取得部は、取得した使用履歴情報それぞれから、当該使用履歴情報に含まれる使用に関する情報に基づいて、当該使用履歴情報を送信した調理機器で調理された調理物を特定する。本変形例の提供情報取得部は、提供情報の対象である物品の劣化レベルがレベル３を超えていない場合には、実施の形態１と同様に、提供情報の対象である物品を含む料理のレシピ情報を、レシピ情報テーブルＴ３００から１つ以上取得する。本変形例の提供情報取得部は、取得した１つ以上のレシピ情報のうち、特定された各調理物のレシピ情報を抽出し、抽出した全てのレシピ情報を提供情報として、本変形例のユーザ端末へ送信する。取得した１つ以上のレシピ情報から、特定された各調理物のレシピ情報が抽出されない場合には、取得した１つ以上のレシピ情報を提供情報として、本変形例のユーザ端末へ送信する。
【０３３５】
なお、本変形例の提供情報取得部は、抽出した全てのレシピ情報を提供情報として送信するのではなく、抽出したレシピ情報のうち過去の最も多く調理された調理物のレシピ情報のみを提供情報として、本変形例のユーザ端末へ送信してもよい。
【０３３６】
これにより、ユーザの好みに合ったレシピ情報を提供情報として提供することができる。
【０３３７】
３．３  変形例３
本変形例では、物品に関する提供情報（再購入を奨める情報）をユーザに提供した後、提供情報がユーザに受け入れられたか否かを分析する情報提供システムについて、説明する。
【０３３８】
以下、本変形例に係る情報提供システムについて説明する。
【０３３９】
本変形例に係る情報提供システムは、サーバ、カメラ付き機器、ユーザ端末、購入決済端末及び店舗端末から構成されている。
【０３４０】
本変形例に係るカメラ付き機器、ユーザ端末、購入決済端末及び店舗端末については、実施の形態１で示すカメラ付き機器、ユーザ端末、購入決済端末及び店舗端末と同様であるので、ここでの説明は省略する。
【０３４１】
（１）サーバ２１０１
ここでは、本変形例に係るサーバ２１０１について説明する。なお、実施の形態１で示す機能と同様の機能構成については、実施の形態１と同一の符号を付し、その説明を省略する。
【０３４２】
サーバ２１０１は、図３２に示すように、販売情報記憶部２０２、レシピ情報記憶部２０３、購入情報記憶部２０４、保管情報記憶部２０５、品質パターン記憶部２０６、物品情報取得部２０７、保管情報生成部２０８、品質特定部２１０、送受信部２１１、ユーザ情報記憶部２２０１、提供情報取得部２２０９、及び分析部２２２０から構成されている。
【０３４３】
サーバ２１０１は、プロセッサ、メモリ及びＮＩＣを含んで構成されており、物品情報取得部２０７、保管情報生成部２０８、品質特定部２１０、提供情報取得部２２０９及び分析部２２２０の各機能は、メモリに記憶されているプログラムをプロセッサが実行することにより実現される。また、サーバ２１０１が行うインターネット１１０を介した情報の送受信は、ＮＩＣを用いて行われる。
【０３４４】
（１−１）ユーザ情報記憶部２２０１
ユーザ情報記憶部２２０１は、実施の形態１で示すユーザ情報テーブルＴ１００に加えて、さらに分析情報テーブルＴ２０００を有している。
【０３４５】
ユーザ情報テーブルＴ１００のデータ構造については、実施の形態１で既に説明しているので、ここでの説明は省略する。
【０３４６】
ここでは、分析情報テーブルＴ２０００について説明する。
【０３４７】
分析情報テーブルＴ２０００は、図３３に示すように、ユーザ識別子Ｔ２００１、物品名Ｔ２００２、購入フラグＴ２００３、提供日時Ｔ２００４、購入日時Ｔ２００５及び購入店舗Ｔ２００６からなる組（分析情報）を１つ以上記憶するための領域を有している。
【０３４８】
ユーザ識別子Ｔ２００１は、ユーザを識別するための識別子である。
【０３４９】
物品名Ｔ２００２は、ユーザ識別子Ｔ２００１で識別されるユーザが購入した物品の名称を示す。
【０３５０】
購入フラグＴ２００３は、物品名Ｔ２００２で示される物品についての提供情報をユーザに提供してから所定時間（例えば、１日）内に、物品が購入されたか否かを示すものである。ここでは、物品名Ｔ２００２で示される物品についての提供情報をユーザに提供してから所定時間内に、物品が購入された場合には値“１”が、購入されなかった場合には値“０”が格納される。
【０３５１】
提供日時Ｔ２００４は、物品名Ｔ２００２で示される物品についての提供情報をユーザに提供した日時、つまりはサーバ２１０１が本変形例のユーザ端末へ提供情報を送信した日時を示す。
【０３５２】
購入日時Ｔ２００５は、物品名Ｔ２００２で示される物品をユーザが購入した日時を示す。
【０３５３】
購入店舗Ｔ２００６は、物品名Ｔ２００２で示される物品をユーザが購入した店舗を示すものである。
【０３５４】
（１−２）提供情報取得部２２０９
提供情報取得部２２０９において、提供情報の取得に関する機能が、実施の形態１で示す提供情報取得部２０９の機能と異なる。
【０３５５】
ここでは、提供情報の取得に関する機能について説明する。
【０３５６】
提供情報取得部２２０９は、品質特定部２１０から取得した物品の劣化レベルに応じて、物品を使用する料理のレシピ情報の取得、販売情報の取得、又は物品を料理には使用しない旨のメッセージの生成を行う。
【０３５７】
提供情報取得部２２０９は、販売情報の取得、又は物品を料理には使用しない旨のメッセージの生成を行う際に、分析情報テーブルＴ２０００で管理する、提供情報を提供するユーザについての分析情報を用いる。具体的には、提供情報を提供するユーザについての分析情報であって、提供情報の対象である物品の物品名を含む分析情報が存在する場合には、提供情報取得部２２０９は、その分析情報に含まれる購入フラグが示す値に応じて、販売情報の取得、又は物品を料理には使用しない旨のメッセージの生成を行う。具体的には、提供情報取得部２２０９は、購入フラグが示す値が“１”である場合には、販売情報の取得を行い、購入フラグが示す値が“０”である場合には、メッセージの生成を行う。
【０３５８】
提供情報取得部２２０９は、取得した提供情報を、要求情報を要求したユーザ端末１０３にインターネット１１０を介して送信するとともに、送信した提供情報と送信日時とを分析部２２２０へ出力する。
【０３５９】
（１−３）分析部２２２０
分析部２２２０は、物品に関する提供情報（再購入を奨める情報）をユーザに提供した後、提供情報がユーザに受け入れられたか否かを分析するものであり、提供情報取得部２２０９から出力された提供情報と送信日時と対応付けて記憶するためのメモリを有している。
【０３６０】
購入情報テーブルＴ４００へ新たな購入情報の追加があり、追加された購入情報に含まれるユーザ識別子及び物品名の双方を含む提供情報が存在する場合には、分析部２２２０は、購入時間が送信時間から起算して所定時間（例えば、１日）内であるか否かを判断し、所定時間内であれば、新たな購入情報と提供情報とを用いて、購入フラグの値を“１”とする分析情報を生成する。
【０３６１】
また、分析部２２２０は、提供情報が送信されてから所定時間を経過しても、対応する購入情報が購入情報テーブルＴ４００に追加されない場合には、購入フラグの値が“０”、購入日時及び購入店舗を“空白”とする分析情報を生成する。
【０３６２】
分析部２２２０は、生成した分析情報を分析情報テーブルＴ２０００へ格納する。
【０３６３】
（２）動作
ここでは、サーバ２１０１が分析情報を用いて提供情報を取得する動作について、図３４に示す流れ図を用いて説明する。
【０３６４】
サーバ２１０１の送受信部２１１は、本変形例のユーザ端末から送信された要求情報を受信したか否かを判断する（ステップＳ７００）。
【０３６５】
要求情報を受信したと判断する場合には（ステップＳ７００における「Ｙｅｓ」）、サーバ２１０１の提供情報取得部２２０９は、受信した要求情報に含まれる物品名が示す物品を特定する（ステップＳ７０５）。要求情報を受信していないと判断する場合には（ステップＳ７００における「Ｎｏ」）、提供情報取得部２２０９は、要求情報の受信待ちとなる。
【０３６６】
サーバ２１０１の品質特定部２１０は、ステップＳ７０５で特定された物品が撮影された最新の画像と、物品の劣化パターン群を用いて、物品の現在の品質状態（劣化レベル）を特定する（ステップＳ７１０）。具体的な動作については、実施の形態１で説明しているので、ここでの説明は省略する。
【０３６７】
提供情報取得部２２０９は、ステップＳ７１０で特定された、物品の劣化レベルがレベル３を超えているか否かを判断する（ステップＳ７１５）。
【０３６８】
物品の劣化レベルがレベル３を超えていないと判断する場合には（ステップＳ７１５における「Ｎｏ」）、提供情報取得部２２０９は、物品の劣化レベルに応じ、当該物品を使用した料理についての１つ以上のレシピ情報を、レシピ情報テーブルＴ３００から取得する（ステップＳ７２０）。
【０３６９】
物品の劣化レベルがレベル３を超えていると判断する場合には（ステップＳ７１５における「Ｙｅｓ」）、提供情報取得部２２０９は、物品が現在販売されているか否かを判断する（ステップＳ７２５）。具体的な動作については、実施の形態１で説明しているので、ここでの説明は省略する。
【０３７０】
物品が現在販売されていると判断する場合には（ステップＳ７２５における「Ｙｅｓ」）、提供情報取得部２２０９は、物品について過去に提供情報がユーザに提供されているか否かを判断する（ステップＳ７３０）。具体的には、分析部２２２０において、物品についての提供情報が保持されているか否かを判断する。過去に物品の提供情報が提供されている場合には、当該物品に対する分析情報が存在することが保障される。
【０３７１】
過去に提供されていると判断する場合には（ステップＳ７３０における「Ｙｅｓ」）、提供情報取得部２２０９は、物品に対応する分析情報から購入実績があるか否かを判断する（ステップＳ７３５）。具体的には、提供情報取得部２２０９は、物品に対応する分析情報に含まれる購入フラグが示す値が“１”であるか否かを判断する。
【０３７２】
購入実績があると判断する場合、つまり購入フラグが示す値が“１”であると判断する場合（ステップＳ７３５における「Ｙｅｓ」）、提供情報取得部２２０９は、物品に対応する販売情報を取得し、第１メッセージを生成する（ステップＳ７４０）。
【０３７３】
物品が現在販売されていないと判断する場合（ステップＳ７２５における「Ｎｏ」）、又は購入実績がないと判断する場合（ステップＳ７３５における「Ｎｏ」）、提供情報取得部２２０９は、物品について料理には使用しない旨の第２メッセージを生成する（ステップＳ７４５）。
【０３７４】
提供情報取得部２２０９は、ステップＳ７２０で取得された１つ以上のレシピ情報からなる情報を提供情報として、ステップＳ７４０で生成された第１メッセージを提供情報として、又はステップＳ７４５で生成された第２メッセージを提供情報として、本変形例のユーザ端末へ送信する（ステップＳ７５０）。
【０３７５】
（３）その他
上記サーバ２１０１では、ユーザに過去に提案した提供情報（販売情報）により物品の購入を行ったか否かに基づいて、そのユーザに合った提案を行うことができる。そのため、本変形例の情報提供システムは、提供情報（販売情報）を採用する採用率を高めることができる。そして、採用率の高い提案を提供できるようになれば、店舗側は販売戦略をより効果的に構築することができる。
【０３７６】
上記サーバ２１０１では、各ユーザの分析情報は、同一ユーザに提供情報を提供する際に用いられたが、これに限定されない。
【０３７７】
サーバ２１０１は、各ユーザの分析情報を用いて、さらなる分析を行い、その結果を各ユーザへ通知してもよい。
【０３７８】
具体的には、提供情報取得部２２０９は、ある物品についての全ての分析情報を取得し、値が“１”である購入フラグを含む分析情報の割合を算出する。これが全ユーザについての採用率となる。
【０３７９】
また、提供情報取得部２２０９は、値が“１”である購入フラグを含む分析情報全てを用いて、購入店舗についてランキング化した情報を生成する。
【０３８０】
提供情報取得部２２０９は、算出した全ユーザについての採用率、及び購入店舗についてランキング化した情報を、各ユーザのユーザ端末へ送信する。
【０３８１】
例えば、提供情報取得部２２０９は、要求情報の受信の有無に関係なく、採用率の算出、ランキング化情報の生成、及び採用率、ランキング化した情報の送信を、定期的（例えば、１日１回）に行う。
【０３８２】
３．４  その他の変形例
さらに、以下のような変形例が考えられる。
【０３８３】
（１）上記実施の形態１では、カメラ付き機器１０２は、サーバ１０１へ送信すべき物品情報に含まれる物品名を、ユーザからの入力により受け付けたが、これに限定されない。
【０３８４】
物品情報に含まれる物品名は、画像解析によりカメラで撮影された画像の被写体から特定してもよい。
【０３８５】
また、実施の形態２においても同様に、衣服用物品情報に含まれる物品名は、画像解析によりカメラで撮影された画像の被写体から特定してもよい。
【０３８６】
これにより、ユーザは、物品名の入力の手間が省けるので、情報提供システムを手軽に利用することができる。
【０３８７】
（２）上記実施の形態１では、保管情報生成部２０８は、カメラ付き機器１０２において追加ボタンが押下され、且つ物品情報に含まれるユーザ識別子及び物品名の双方とも一致するユーザ識別子及び物品名を含む購入情報が購入情報記憶部２０４に存在する場合に、保管情報を生成するとしたが、これに限定されない。
【０３８８】
保管情報生成部２０８は、カメラ付き機器１０２において追加ボタンが押下され、物品情報に含まれるユーザ識別子及び物品名の双方とも一致するユーザ識別子及び物品名を含む購入情報が購入情報記憶部２０４に存在しない場合であっても、保管情報を生成するとしてもよい。この場合、保管情報生成部２０８は、購入情報のうち、購入日時Ｔ４０４、製造日／収穫日Ｔ４０５、消費期限／賞味期限／使用期限Ｔ４０６は、空白とし、購入量／個数Ｔ４０７は、ユーザに入力を求め、ユーザから得られた数値を購入量／個数Ｔ４０７とする。サーバ１０１は、ユーザのカメラ付き機器１０２又はユーザ端末１０３に対して、購入量／個数Ｔ４０７の要求を行う。
【０３８９】
食料品は、通常スーパーマーケットといった店舗で購入するが、第三者（個人的な知り合い）から無料で譲り受けることもある。このような場合、譲り受けた食料品は、購入情報には存在しないが、冷蔵庫等で保管されるので、物品の状態変化（例えば品質の変化）について管理を行う必要がある。そこで、上記のように、追加ボタンが押下され、購入情報は存在しない場合であっても、管理の対象とすることで、より多くの物品について、ユーザに提供情報を提供することができる。
【０３９０】
（３）上記実施の形態２において、保管情報の生成の際に、物品情報に含まれるユーザ識別子及び物品名を検索の条件として、これら双方とも一致する購入情報を取得したが、これに限定されない。
【０３９１】
検索条件として、さらなる条件を付加してもよい。
【０３９２】
例えば、衣服の色、形状、サイズ等を検索条件としてもよい。この場合、購入情報には、衣服の色、形状、サイズ等が含まれている。また、カメラ付き機器１１０２は、衣服の色、形状、サイズをユーザに入力させるか、又は撮影された画像から画像分析により取得して、物品情報に含めてサーバ１１０１へ送信する。
【０３９３】
これにより、きめ細やかな検索が可能となる。
【０３９４】
（４）上記実施の形態２において、提案情報の対象となる物品として衣服としたが、これに限定されない。
【０３９５】
ユーザが身に着けるもの、例えば宝石、時計、バッグ等のアクセサリー類を、提案情報の対象に加えてもよい。つまり実施の形態２において、提案情報の対象となる物品は、服飾品であればよい。
【０３９６】
（５）上記実施の形態２において、物品（衣服）の劣化レベルのみから提供情報（組み合わせ情報）を取得し、ユーザに提供したが、これに限定されない。
【０３９７】
物品に関する使用履歴情報に基づいた提供情報（組み合わせ情報）を取得し、提供してもよい。
【０３９８】
この場合、本変形例のサーバは、実施の形態２で示すサーバ１１０１の構成要素に加えて、使用履歴情報テーブルＴ３０００を有している。
【０３９９】
使用履歴情報テーブルＴ３０００は、図３５に示すように、日時Ｔ３００１、上着Ｔ３００２、ズボン／スカートＴ３００３、ベルトＴ３００４、バッグＴ３００５、時計Ｔ３００６、髪留めＴ３００７及びイヤリングＴ３００８からなる組（使用履歴情報）を１つ以上記憶するための領域を有している。
【０４００】
日時Ｔ３００１は、使用履歴情報に含まれる上着等の物品の組み合わせで使用された日時を示すものである。
【０４０１】
上着Ｔ３００２は、物品の組み合わせで使用された上着の種別（例えば、Ｔシャツ、Ｙシャツ、セータ等）を示すものである。なお、ここでは、便宜上、アルファベット“Ａ”、“Ｂ”、“Ｃ”といった文字で記載している。
【０４０２】
ズボン／スカートＴ３００３は、物品の組み合わせで使用されたズボン又はスカートの種別（例えば、ロングスカート、ミニスカート、チノパンツ等）を示すものである。なお、ここでは、便宜上、アルファベット“ａ”、“ｂ”、“ｃ”といった文字で記載している。
【０４０３】
ベルトＴ３００４は、物品の組み合わせで使用されたベルトの形状（例えば、バックルの形状）を示すものである。なお、ここでは、便宜上、アルファベット“ｖ”、“ｓ”といった文字で記載している。
【０４０４】
バッグＴ３００５は、物品の組み合わせで使用されたバッグの形状、色又はこれらの組み合わせを示すものである。なお、ここでは、便宜上、アルファベット“Ｖ”、“Ｓ”といった文字で記載している。
【０４０５】
時計Ｔ３００６は、物品の組み合わせで使用された時計の形状を示すものである。なお、ここでは、便宜上、アルファベット“Ｇ”、“Ｈ”といった文字で記載している。
【０４０６】
髪留めＴ３００７は、物品の組み合わせで使用された髪留めの形状を示すものである。なお、ここでは、便宜上、アルファベット“Ｐ”、“Ｑ”、“Ｒ”といった文字で記載している。
【０４０７】
イヤリングＴ３００８は、物品の組み合わせで使用されたイヤリングの形状を示すものである。なお、ここでは、便宜上、アルファベット“Ｎ”、“Ｍ”といった文字で記載している。
【０４０８】
サーバは、提供情報として、組み合わせ情報を取得する際に、使用履歴情報を用いる。例えば、物品情報で示される物品が、Ｔシャツ（図３５の上着“Ａ”とする。）である場合には、サーバは、使用履歴情報テーブルＴ３０００において、上着“Ａ”と組み合わせて使用されたズボン／スカートのうち最も回数の多い物品（ここでは、物品“ａ”）を組み合わせ情報として取得し、ユーザへ提供する。
【０４０９】
これにより、本変形例のサーバは、使用頻度の高いお気に入りの服飾品を中心に組み合わせ情報としてユーザに提供することができる。
【０４１０】
また、サーバは、再購入を促す旨の提供情報を取得する際に、使用履歴情報を用いてもよい。  これにより、本変形例のサーバは、使用頻度の高いお気に入りの服飾品と同一のデザインの服飾品の購入提案をユーザに提供することができる。
【０４１１】
（６）上記実施の形態１及び２において、サーバは、ユーザ端末から要求情報を受信して、提供情報をユーザに提供したが、これに限定されない。
【０４１２】
（６−１）定期送信
サーバは、定期的に提供情報をユーザへ提供してもよい。例えば、毎日、予め定められた時刻（所定時刻）が到来すると、サーバは、提供情報を生成し、ユーザに提供する。この場合、サーバは、所定時刻が到来すると、予めユーザに指定された物品の劣化レベルの特定を、撮影時間がその日時に最も近い画像を用いて行う。サーバは、特定された劣化レベルに応じた、物品の提供情報を取得し、ユーザへ提供する。
【０４１３】
これにより、サーバは、定期的に物品についての提供情報をユーザへ提供することができる。
【０４１４】
（６−２）特定の場所に訪れたときに送信
または、ユーザが頻繁に利用する店舗に訪れたときに、サーバは、提供情報をユーザへ提供してもよい。
【０４１５】
以下のようにして、本変形例は、実現される。
【０４１６】
サーバは、ユーザ情報テーブルＴ１００に、利用店舗Ｔ１０４で示される店舗の店舗位置情報（経度、緯度からなる情報）を追加する。
【０４１７】
ユーザ端末は、ＧＰＳ（Ｇｌｏｂａｌ  Ｐｏｓｉｔｉｏｎｉｎｇ  Ｓｙｓｔｅｍ）機能を有し、ＧＰＳ機能で定期的に自機の位置情報（経度、緯度からなる情報）を取得し、取得した位置情報とユーザ識別子とからなる通知情報をサーバへ通知する。
【０４１８】
サーバは、通知情報を受け取ると、通知情報に含まれる位置情報が示す位置が、ユーザ情報に含まれる店舗位置情報の位置と一致するか否かを判断し、一致する場合に、提供情報を取得し、ユーザ端末へ送信する。
【０４１９】
なお、ここで、位置の判断においては、完全一致ではなく、通知情報に含まれる位置情報が示す位置が、店舗位置情報の位置から所定の範囲（例えば、１００ｍ）内である場合に一致すると判断してもよい。
【０４２０】
（７）上記実施の形態１において、カメラ付き機器１０２におけるカメラ３０１は、ユーザが手に取って使用するものであるとしたが、これに限定されない。
【０４２１】
カメラ３０１は、ユーザ端末（冷蔵庫）３０２に備え付けられていてもよい。
【０４２２】
（８）上記実施の形態１及び２において、カメラ付き機器と、ユーザ端末とは、個別のものであるとしたが、これに限定されない。
【０４２３】
カメラ付き機器と、ユーザ端末とは、同一のものであってもよい。
【０４２４】
（９）上記実施の形態及び変形例を組み合わせるとしてもよい。
【０４２５】
４．補足
（１）本発明の一態様である、物品についての提供情報をユーザに通知するサービスを、コンピュータシステム上で実現する情報提供方法であって、コンピュータシステムは、物品の状態が段階的に取りうる複数レベルに対応付けて、提供情報を記憶しており、提供情報は、物品が対応するレベルの状態である場合にユーザに通知する提案を示し、前記複数のレベルは、目的物を完成させるための素材としての使用に適した第１レベル、素材としての使用に適さない第２レベルを含み、ユーザの保管又は使用を経て、ユーザが有する物品の状態がどのように変化したかを示す物品状態情報を取得する取得ステップと、提供情報の提供タイミングを判断する判断ステップと、提供タイミングと判断した場合、当該提供タイミングにおける物品状態の変化に合致するレベルを、前記第１レベル及び前記第２レベルを含む前記複数のレベルの中から選んで、当該合致したレベルに対応する提供情報を、ユーザに通知する提供情報として定める特定ステップとを含むことを特徴とする。
【０４２６】
この構成によると、情報提供方法は、物品についての提供情報をユーザに通知するタイミングで、物品の変化後の物品状態のレベルに対応する提供情報をユーザに通知することができる。
【０４２７】
（２）ここで、前記第１レベル及び前記第２レベルを含む前記複数のレベルそれぞれは、物品品質の劣化がどれだけ進行したかという劣化レベルを示し、コンピュータシステムは、複数の劣化レベルのそれぞれについて、物品外観情報を対応付けており、物品外観情報は、対応する劣化レベルの劣化度合による物品外観への影響を示し、前記物品状態情報は、カメラで撮影された前記物品の画像と、撮影日時とを含み、前記特定ステップは、前記判断ステップにより前記タイミングと判断されるまでに取得した１つ以上の物品状態情報それぞれに含まれる画像のうち、撮影日時が現在に最も近い日時である画像と前記物品の劣化レベルを表す複数の物品外観情報とを比較することにより、ユーザによる保管又は使用を経た後の、変化後の状態に最も近い劣化レベルを選ぶとしてもよい。
【０４２８】
この構成によると、情報提供方法は、供情報をユーザに通知するタイミングと判断したときに最も近い日時で撮影された物品の画像と、複数の劣化レベルそれぞれについて対応付けられた物品外観情報とを用いて、物品の品質の劣化レベルを特定するので、物品の品質の劣化レベルに応じた提供情報を提供すべきタイミングにおける物品の劣化レベルに応じた提供情報をユーザに通知することができる。
【０４２９】
（３）ここで、前記物品外観情報は、参考画像であって、対応する劣化レベルの劣化度合による物品外観への影響を画像化して示し、前記特定ステップは、前記判断ステップにより前記タイミングと判断されるまでに取得した１つ以上の物品状態情報それぞれに含まれる画像のうち、撮影日時が現在に最も近い日時である画像と前記物品の劣化レベルを表す複数の参考画像とを比較することにより、ユーザによる保管又は使用を経た後の、変化後の状態に最も近い劣化レベルを選ぶとしてもよい。
【０４３０】
この構成によると、情報提供方法は、提供情報をユーザに通知するタイミングと判断したときに最も近い日時で撮影された物品の画像と、複数の参考画像とを用いて、物品の品質の劣化レベルを特定するので、物品の品質の劣化レベルに応じた提供情報を提供すべきタイミングにおける物品の劣化レベルに応じた提供情報をユーザに通知することができる。
【０４３１】
（４）ここで、前記物品は食料品であり、前記提供情報は、食料品を素材として用いて目的物である料理を完成させるためのレシピ情報を含み、前記特定ステップは、ユーザによる保管又は使用を経た後の物品状態の変化と合致するとして選ばれた劣化レベルが所定の閾値を下回れば、前記劣化レベルに対応する、前記食料品を素材として用いて目的物である料理を完成させるためのレシピ情報を、ユーザに通知する提供情報として特定し、ユーザによる保管又は使用を経た後の物品状態の変化と合致するとして選ばれた劣化レベルが所定の閾値を上回れば、前記食料品の使用の禁止を促す警告、又は前記食料品の再購入を促す提案情報を、ユーザに通知する提供情報として特定するとしてもよい。
【０４３２】
この構成によると、情報提供方法は、提供情報として、食料品を用いた料理のレシピ情報、食料品の使用の禁止を促す警告、又は食料品の再購入を促す提案情報をユーザに通知することができる。
【０４３３】
（５）ここで、前記物品は、服飾品であり、前記複数の提供情報は、服飾品を素材として用いて、目的物である全身コーディネートを提案するコーディネート情報であり、前記特定ステップは、ユーザによる保管又は使用を経た後の物品状態の変化と合致するとして選ばれた劣化レベルが所定の閾値を下回れば、劣化レベルに対応するコーディネート情報を、ユーザに通知する提供情報として特定し、ユーザによる保管又は使用を経た後の物品状態の変化と合致するとして選ばれた劣化レベルが所定の閾値を上回れば、前記服飾品に代わる新たな服飾品の購入を提案する購入提案情報を、ユーザに通知する提供情報として特定するとしてもよい。
【０４３４】
この構成によると、情報提供方法は、提供情報として、服飾品を用いたコーディネートを提案するコーディネート情報、又は新たな服飾品の購入を提案する購入提案情報をユーザに通知することができる。
【０４３５】
（６）ここで、前記物品は、食料品であり、前記物品状態情報は、前記食料品の量を示すものであり、前記複数レベルのそれぞれに対応付けられた提供情報は、食料品を素材として用いて目的物である料理を完成させるためのレシピ情報であり、素材の分量を含み、前記特定ステップは、前記タイミングが到来したと判断されるまでに、複数の提供情報である、複数のレシピ情報に含まれる素材分量と、前記物品状態情報が示す前記食料品の量とからレシピ情報毎の食料品の残存量を算出し、前記判断ステップにより提供タイミングと判断されると、複数のレシピ情報の中に、算出された食料品の残存量を上回る素材分量をもつものがあるかどうかを判断し、もつものがあれば、当該提供タイミングにおける物品状態の変化に合致するレベルとして前記第１レベルを選び、複数のレシピ情報の中に、算出された食料品の残存量を上回る素材分量をもつものがなければ、当該提供タイミングにおける物品状態の変化に合致するレベルとして前記第２レベルを選ぶとしてもよい。
【０４３６】
この構成によると、情報提供方法は、提供情報をユーザに通知タイミングであると判断されたときにおける食料品の残存量に基づいた提供情報をユーザに通知することができる。
【０４３７】
（７）ここで、前記特定ステップは、特定された残存量により素材分量が満たされるレシピ情報が存在する場合、当該レシピ情報を、ユーザに通知する提供情報として特定し、特定された残存量により素材分量が満たされるレシピ情報が存在しない場合、当該レシピ情報を、前記食料品の再購入を促す提案情報を、ユーザに通知する提供情報として特定するとしてもよい。
【０４３８】
この構成によると、情報提供方法は、提供情報として、食料品の残存量で料理可能なレシピ情報、又は食料品の再購入を促す提案情報をユーザに通知することができる。
【０４３９】
（８）ここで、前記判断ステップは、前記ユーザから提供の要求を受け付けた場合、前記提供情報を前記ユーザに通知するタイミングと判断するとしてもよい。
【０４４０】
この構成によると、情報提供方法は、ユーザからの要求があった場合に、提供タイミングにおける物品状態の変化に合致するレベルに対応する提供情報をユーザに通知することができる。
【０４４１】
（９）ここで、前記判断ステップは、前記物品状態情報を受け付けてから所定時間経過した場合に、前記提供情報を前記ユーザに通知するタイミングと判断するとしてもよい。
【０４４２】
この構成によると、情報提供方法は、物品状態情報が受け付けられてから所定時間経過した場合に、提供タイミングにおける物品状態の変化に合致するレベルに対応する提供情報をユーザに通知することができる。
【産業上の利用可能性】
【０４４３】
本発明の情報提供方法及び情報提供システムは、物品の状態変化に応じた提供情報を、物品を有するユーザへ通知するサービスに対して有効である。
【符号の説明】
【０４４４】
１００、１０００    情報提供システム
１０１、１１０１、２１０１    サーバ
１０２、１１０２    カメラ付き機器
１０３、１１０３    ユーザ端末
１０４、１１０４    購入決済端末
１０５、１１０５    店舗端末
１１０    インターネット
２０１、１２０１、２２０１    ユーザ情報記憶部
２０２、１２０２    販売情報記憶部
２０３    レシピ情報記憶部
２０４、１２０４    購入情報記憶部
２０５、１２０５    保管情報記憶部
２０６、１２０６    品質パターン記憶部
２０７、１２０７    物品情報取得部
２０８、１２０８    保管情報生成部
２０９、１２０９、２２０９    提供情報取得部
２１０、１２１０    品質特定部
２１１、１２１１    送受信部
３０１、１３２２    カメラ
３０２    ユーザ端末
３１１    撮影部
３１２    制御部
３１３、３２２    無線部
３２１、１３２１    識別子記憶部
３２３、１３２３    入力部
３２４    質量センサ
３２５、１３２５    制御部
３２６、１３２６    送信部
４０１    識別子記憶部
４０２    入力部
４０３    制御部
４０４    表示部
４０５    送受信部
２２２０    分析部
【図１】
2014050113.tif 000003
【図２】
2014050113.tif 000004
【図３】
2014050113.tif 000005
【図４】
2014050113.tif 000006
【図５】
2014050113.tif 000007
【図６】
2014050113.tif 000008
【図７】
2014050113.tif 000009
【図８】
2014050113.tif 000010
【図９】
2014050113.tif 000011
【図１０】
2014050113.tif 000012
【図１１】
2014050113.tif 000013
【図１２】
2014050113.tif 000014
【図１３】
2014050113.tif 000015
【図１４】
2014050113.tif 000016
【図１５】
2014050113.tif 000017
【図１６】
2014050113.tif 000018
【図１７】
2014050113.tif 000019
【図１８】
2014050113.tif 000020
【図１９】
2014050113.tif 000021
【図２０】
2014050113.tif 000022
【図２１】
2014050113.tif 000023
【図２２】
2014050113.tif 000024
【図２３】
2014050113.tif 000025
【図２４】
2014050113.tif 000026
【図２５】
2014050113.tif 000027
【図２６】
2014050113.tif 000028
【図２７】
2014050113.tif 000029
【図２８】
2014050113.tif 000030
【図２９】
2014050113.tif 000031
【図３０】
2014050113.tif 000032
【図３１】
2014050113.tif 000033
【図３２】
2014050113.tif 000034
【図３３】
2014050113.tif 000035
【図３４】
2014050113.tif 000036
【図３５】
2014050113.tif 000037
【国際調査報告】
2014050113.tif 000038
2014050113.tif 000039
2014050113.tif 000040
2014050113.tif 000041